(57)【特許請求の範囲】
【請求項１】
研磨剤としての着色洗浄粒子を含む、液体洗浄組成物であって、
前記着色洗浄粒子が、着色されたピスタチオナッツの殻の粒子、着色されたクルミの殻の粒子、着色されたオリーブの核の粒子、及びこれらの混合物からなる群から選択され、
前記液体と前記着色洗浄粒子とが、ＣＩＥＬａｂ色測定に基づくＬ*ａ*ｂ*の値による、実質的に同じ色を有し、前記液体と前記着色洗浄粒子とのＬ*ａ*ｂ*の値の差異である、ΔＬ*及びΔａ*及びΔｂ*の値が、±５以下であり、
前記着色洗浄粒子の平均ＥＣＤ（面積相当径）が、１５０〜２５０μｍである、液体洗浄組成物。
【請求項２】
研磨剤としての着色洗浄粒子を含む、液体洗浄組成物であって、
前記着色洗浄粒子が、着色されたピスタチオナッツの殻の粒子、着色されたクルミの殻の粒子、着色されたオリーブの核の粒子、及びこれらの混合物からなる群から選択され、
前記液体と前記着色洗浄粒子とが、ＣＩＥＬａｂ色測定に基づくＬ*ａ*ｂ*の値による、実質的に異なる色を有し、前記液体と前記着色洗浄粒子とのＬ*ａ*ｂ*の値の差異である、ΔＬ*及び／又はΔａ*及び／又はΔｂ*の値が、±５０以上であり、
前記着色洗浄粒子の平均ＥＣＤ（面積相当径）が、１５０〜２５０μｍである、液体洗浄組成物。
【請求項３】
前記着色洗浄粒子が、直接染料で着色され、
前記直接染料が、アゾ、ベンゾ、シカゴ、コロンビア、コンゴ、ジアミン若しくはトリアミン、パラミン、ジアニル、ミカド、オキシジアミン、チタン、ザンベシの染料、及びこれらの混合物からなる群から選択され、
前記直接染料が、固定塩であり、前記塩が、炭酸塩若しくは重炭酸塩、リン酸塩、ホウ砂塩、硫酸塩、亜鉛塩、クロム塩、鉄塩、ジルコニウム塩、アルミニウム塩、銅塩、及びこれらの混合物からなる群から選択される、請求項１または２に記載の液体洗浄組成物。
【請求項４】
前記着色洗浄粒子が、塩基性染料及びタンニン酸で着色される、請求項１または２に記載の液体洗浄組成物。
【請求項５】
前記着色洗浄粒子が、塩基性ヤーヌス染料及び硫酸で着色される、請求項１または２に記載の液体洗浄組成物。
【請求項６】
前記着色洗浄粒子が、媒染染料及び金属酸化物で着色される、請求項１または２に記載の液体洗浄組成物。
【請求項７】
前記着色洗浄粒子が、ＶＡＴ染料で着色され、前記ＶＡＴ染料が、キノン系構造から誘導される、アントラキノン又はインジゴイドである、請求項１または２に記載の液体洗浄組成物。
【請求項８】
懸濁助剤を更に含み、
前記懸濁助剤が、ポリカルボキシレートポリマー増粘剤、カルボキシメチルセルロース、エチルセルロース、ヒドロキシエチルセルロース、ヒドロキシプロピルセルロース、ヒドロキシメチルセルロース、ミクロフィブリルセルロース、サクシノグリカン、キサンタンガム、ジェランガム、グアーガム、ローカストビーンガム、トラガカントガム、サクシノグルカンガム、若しくはこれらの誘導体、あるいはこれらの混合物からなる群から選択される、請求項１〜７のいずれか一項に記載の液体洗浄組成物。
【請求項９】
請求項１〜８のいずれか一項に記載の液体洗浄組成物を使用して、表面を洗浄するプロセスであって、
前記組成物が、前記表面上に塗布され、前記表面が、家庭の硬質表面、食器表面、皮革の表面、合成皮革の表面、及び自動車車両の表面からなる群から選択される無生物表面である、プロセス。
【請求項１０】
請求項１〜８のいずれか一項に記載の液体洗浄組成物を含む、洗浄基材であって、前記液体洗浄組成物が前記洗浄基材上に含浸された、洗浄基材。
【請求項１１】
前記洗浄基材が、織布シート、不織布シート、セルロース材料をベースとするシート、スポンジ、及び連続気泡構造を有するフォーム、からなる群から選択される、請求項１０に記載の洗浄基材。
【発明の詳細な説明】
【技術分野】
【０００１】
本発明は、家屋内及び家屋周辺の硬質表面、食器表面、自動車及び車両表面などを含めた、様々な無生物表面を洗浄するための、液体組成物に関する。より具体的には、本発明は、洗浄及び／又はクレンジングに関して好適な粒子を含む液体磨き用組成物に関する。
【背景技術】
【０００２】
粒子組成物などの磨き用組成物、又は研磨性成分を含有する液体（ゲル、ペーストタイプを含む）組成物は、当該技術分野において周知である。そのような組成物は、様々な表面、特に、しみ及び汚れの除去が困難な状態にまで汚れる傾向のある表面を、洗浄するために使用される。
【０００３】
現時点で既知の磨き用組成物の中でも、最も一般的な磨き用組成物は、球状から不規則状までの様々な形状を有する、研磨粒子をベースとするものである。最も普通の研磨粒子は、炭酸塩、粘土、シリカ、ケイ酸塩、シェールアッシュ、パーライト、及びケイ砂のような無機物、あるいは、ポリプロピレン、ＰＶＣ、メラミン、尿素樹脂、ポリアクリレート及び誘導体のような有機ポリマービーズのいずれかであり、それらの研磨粒子がその中に懸濁される、クリーム状の稠度を有する液体組成物の形態となる。
【０００４】
そのような現時点で既知の磨き用組成物の表面安全プロフィールは、不十分なものであり、あるいは、十分な表面安全プロフィールを有する組成物に関しては、貧弱な洗浄性能が示される。実際に、極めて硬質の研磨粒子が存在するために、これらの組成物は、それらが塗布された表面に損傷を与える、すなわち擦傷する恐れがある。実際に、配合者は、良好な洗浄性能と引き換えに激しい表面損傷を特徴とするか、又は洗浄性能を妥協しつつ、許容可能な表面安全プロフィールを特徴とするかの間で、選択する必要がある。更には、少なくとも特定の適用分野（例えば、硬質表面の洗浄）での、そのような現時点で既知の磨き用組成物は、消費者によって、時代遅れであるとして認知されている。
【０００５】
堅果の殻、例えば、クルミ、アーモンドなどからの殻、又は、例えば、オリーブ、アプリコット、サクランボ、桃などからの、種核に由来するものなどの、天然の原材料に由来する研磨粒子は、ある程度、上記の要件を満たすが、それらは、本質的にいくぶん暗色のものであるか、又は望ましくない茶色を有する。更には、それらが洗浄製品中に含まれることにより、非審美的な、泥のような液体組成物が作り出され、このことは、その液体組成物の外観、及びその洗浄性能を損なうために、消費者／使用者には極めて望ましくない。それゆえ、洗浄／洗浄液体組成物に関する性能要件及び審美的要件を等しく満たす、天然源由来の研磨粒子を、特定する必要性が存在する。
【０００６】
これらの望ましくない効果は、特に、その研磨粒子が、天然の原材料に由来する場合、例えば、堅果の殻、種核、木材、又はより全般的に植物材料に由来する場合には、着色研磨粒子を使用することによって克服することができる。
【０００７】
この着色粒子は、液体洗浄組成物の色に適合するように調色されるか、又は液体洗浄組成物の色とは異なる（又は対照的な）色を有するかの、いずれかとすることができる。
【０００８】
それゆえ、本発明の目的は、家屋内及び家屋周辺の硬質表面、食器表面などのような、無生物表面を含めた、様々な表面を洗浄するために好適な、液体洗浄組成物を提供することであり、この組成物は、良好な洗浄性能を提供すると同時に、良好な表面安全プロフィールを提供する。本発明の別の目的はまた、洗浄性能を改善するための研磨洗浄粒子を含む、審美的に許容可能な洗浄組成物を提供することである。
【０００９】
上記の目的は、本発明による組成物によって果たし得ることが判明している。
【発明の概要】
【発明が解決しようとする課題】
【００１０】
本発明による組成物の有利点は、それらの組成物を使用して、グレーズドセラミック及び非グレーズドセラミックのタイル、エナメル、ステンレス鋼、Ｉｎｏｘ（登録商標）、Ｆｏｒｍｉｃａ（登録商標）、ビニール、ワックスなしビニール、リノリウム、メラミン、ガラス、プラスチック、塗装表面などのような、様々な材料で作製される無生物表面を、洗浄することができる点である。
【００１１】
本発明の更なる有利点は、本明細書での組成物中に、極めて低濃度で粒子を配合しつつも、上記の利益を依然として提供することができる点である。実際に、一般的に他の技術に関しては、良好な洗浄性能に到達するためには、高濃度の研磨粒子が必要とされるため、製剤及び加工処理の高コスト、すすぎ及び最終洗浄の困難なプロフィール、並びに洗浄組成物の審美性及び心地よい手触りに関する制限がもたらされる。
【課題を解決するための手段】
【００１２】
本発明は、研磨剤としての着色洗浄粒子を含む、液体洗浄組成物に関し、この着色洗浄粒子は、着色された堅果の殻の粒子、着色された核の粒子、他の植物部分に由来する着色粒子、着色された木材粒子、及びこれらの混合物からなる群から選択され、この液体と着色洗浄粒子とは、ＣＩＥＬａｂ色測定に基づくＬ*ａ*ｂ*の値による、実質的に同じ色を有し、液体と着色研磨粒子とのＬ*ａ*ｂ*の値の差異である、ΔＬ*及びΔａ*及びΔｂ*の値は、±２０以下である。
【００１３】
更には、本発明は、研磨剤としての着色洗浄粒子を含む、液体洗浄組成物に関し、この着色洗浄粒子は、着色された堅果の殻の粒子、着色された核の粒子、他の植物部分に由来する着色粒子、着色された木材粒子、及びこれらの混合物からなる群から選択され、この液体と着色洗浄粒子とは、ＣＩＥＬａｂ色測定に基づくＬ*ａ*ｂ*の値による、実質的に異なる色を有し、液体と着色研磨粒子とのＬ*ａ*ｂ*の値の差異である、ΔＬ*及び／又はΔａ*及び／又はΔｂ*の値は、±３０以上である。
【００１４】
本発明は、着色研磨洗浄粒子を含む液体洗浄組成物を使用して、表面を洗浄するプロセスを更に包含し、この表面は、その組成物と接触し、好ましくは、この組成物は、その表面上に塗布される。
【発明を実施するための形態】
【００１５】
液体洗浄組成物
本発明による組成物は、様々な無生物表面用の洗浄剤として設計される。
【００１６】
好ましい実施形態では、本明細書での組成物は、家庭の硬質表面、食器表面、皮革若しくは合成皮革のような表面、及び自動車車両の表面からなる群から選択される無生物表面を、洗浄するのに好適である。
【００１７】
「家庭の硬質表面」とは、本明細書では、台所、浴室のような、家屋内及び家屋周辺で典型的には見出される、任意の種類の表面、例えば、セラミック、ビニール、ワックスなしビニール、リノリウム、メラミン、ガラス、Ｉｎｏｘ（登録商標）、Ｆｏｒｍｉｃａ（登録商標）、ガラスセラミック、任意のプラスチック、樹脂加工された木材、金属、又は任意の塗装表面、若しくはニス塗り表面、若しくはシール表面などのような、種々の材料で作製される、床、壁、タイル、窓、食器戸棚、シンク、シャワー、シャワー用樹脂加工カーテン、洗面台、トイレ、付属品、及び取り付け品などを意味する。家庭の硬質表面にはまた、家庭用電化製品も包含され、それらの家庭用電化製品としては、冷蔵庫、冷凍庫、洗濯機、自動乾燥機、オーブン、電子レンジ、食器洗浄機などが挙げられるが、これらに限定されない。そのような硬質表面は、個人の家庭内、並びに商業環境、施設環境、及び工業環境内の双方で、見出すことができる。
【００１８】
「食器表面」とは、本明細書では、セラミック、磁器、金属、ガラス、プラスチック（ポリエチレン、ポリプロピレン、ポリスチレンなど）、木材、エナメル、Ｉｎｏｘ（登録商標）、Ｔｅｆｌｏｎ（登録商標）、あるいは食事及び／又は料理のために使用される物品を作製する際に一般的に使用される、任意の他の材料から作製される、食器、グラス、鍋、平鍋、オーブン皿、並びに食卓器具などの、硬質表面を意味する。そのような食器表面は、個人の家庭内、並びに商業環境、施設環境、及び工業環境内の双方で、見出すことができる。
【００１９】
本発明による組成物は、固体又は気体とは対照的な、液体組成物である。液体組成物は、水様の粘度を有する組成物、並びにゲル及びペーストなどの、増粘組成物を含む。
【００２０】
本明細書での好ましい実施形態では、本明細書での液体組成物は、水性組成物である。それゆえ、それらの組成物は、組成物全体の３０重量％〜９９．５重量％の、好ましくは３５重量％〜９８重量％の、より好ましくは４０重量％〜９５重量％の水を含み得る。
【００２１】
本明細書での別の好ましい実施形態では、本明細書での液体組成物は、ほぼ非水性の組成物であるが、それらの組成物は、組成物全体の０重量％〜１０重量％の水、好ましくは組成物全体の０重量％〜５重量％の、より好ましくは０重量％〜１重量％の、最も好ましくは０重量％の水を含み得る。
【００２２】
本明細書での好ましい実施形態では、本明細書での組成物は、中性の組成物であり、それゆえ、２５℃で測定される場合、６〜１０の、より好ましくは６．５〜９．５の、更により好ましくは７〜９のｐＨを有する。
【００２３】
他の好ましい実施形態では、組成物は、好ましくはｐＨ  ４よりも大きいｐＨを有し、あるいは、好ましくはｐＨ  ９．５未満のｐＨを有する。
【００２４】
したがって、本明細書での組成物は、ｐＨを調整するために、好適な塩基及び酸を含み得る。
【００２５】
本明細書で使用される好適な塩基は、有機及び／又は無機の塩基である。本明細書での使用に関して好適な塩基は、水酸化ナトリウム、水酸化カリウム、及び／若しくは水酸化リチウムなどの苛性アルカリ、並びに／又は、酸化ナトリウム及び／若しくは酸化カリウムなどのアルカリ金属酸化物、あるいはこれらの混合物である。好ましい塩基は、苛性アルカリであり、より好ましくは、水酸化ナトリウム及び／又は水酸化カリウムである。
【００２６】
他の好適な塩基としては、アンモニア、炭酸アンモニウム、全ての利用可能な炭酸塩、例えば、Ｋ2ＣＯ3、Ｎａ2ＣＯ3、ＣａＣＯ3、ＭｇＣＯ3など、アルカノールアミン（例えば、モノエタノールアミン）、尿素及び尿素誘導体、ポリアミンなどが挙げられる。
【００２７】
そのような塩基の典型的な濃度は、存在する場合、組成物全体の０．０１重量％〜５．０重量％、好ましくは０．０５重量％〜３．０重量％、より好ましくは０．１重量％〜０．６重量％である。
【００２８】
本明細書での組成物は、必要とされるレベルまでそのｐＨを削減するための酸を含み得、酸が存在する場合は、それにも関わらず、本明細書での組成物は、中性からアルカリ性の、好ましくは、上述のようなアルカリ性のｐＨを維持する。本明細書での使用に関して好適な酸は、有機及び／又は無機の酸である。本明細書での使用に関して好ましい有機酸は、６未満のｐＫａを有する。好適な有機酸は、クエン酸、乳酸、グリコール酸、コハク酸、グルタル酸、及びアジピン酸、並びにこれらの混合物からなる群から選択される。これらの酸の混合物は、ＢＡＳＦより、商品名Ｓｏｋａｌａｎ（登録商標）ＤＣＳで商業的に入手可能市販である。好適な無機酸は、塩酸、硫酸、リン酸、及びこれらの混合物からなる群から選択される。
【００２９】
そのような酸の典型的な濃度は、存在する場合、組成物全体の０．０１重量％〜５．０重量％、好ましくは０．０４重量％〜３．０重量％、より好ましくは０．０５重量％〜１．５重量％である。
【００３０】
本発明による好ましい実施形態では、本明細書での組成物は、増粘組成物である。好ましくは、本明細書での液体組成物は、２０ｓ-1で最大７５００ｃｐｓの粘度を有し、２０ｓ-1及び２０℃で、ＡＲ  １０００型レオメータ（ＴＡ  Ｉｎｓｔｒｕｍｅｎｔｓより供給）を、ステンレス鋼、角度２°の、４ｃｍコーン状スピンドルで使用して（０．１〜最大１００ｓｅｃ-1の線形増分、８分間）測定するとき、より好ましくは５０００ｃｐｓ〜５０ｃｐｓの、更により好ましくは２０００ｃｐｓ〜５０ｃｐｓの、最も好ましくは、１５００ｃｐｓ〜３００ｃｐｓの粘度を有する。
【００３１】
本発明による別の好ましい実施形態では、本明細書での組成物は、水様の粘度を有する。「水様の粘度」とは、本明細書では、水の粘度に近い粘度を意味する。好ましくは、本明細書での液体組成物は、６０ｒｐｍで最大５０ｃｐｓの粘度を有し、６０ｒｐｍ及び２０℃で、Ｂｒｏｏｋｆｉｅｌｄデジタル粘度計ＤＶ  ＩＩ型を、スピンドル２で使用して測定するとき、より好ましくは０ｃｐｓ〜３０ｃｐｓの、更により好ましくは０ｃｐｓ〜２０ｃｐｓの、最も好ましくは、０ｃｐｓ〜１０ｃｐｓの粘度を有する。
【００３２】
研磨洗浄粒子
本明細書での液体洗浄組成物は、堅果の殻、核、あるいは他の植物部分、例えば、限定するものではないが、茎、根、葉、種子、果実、及びこれらの混合物を、剪断及び／又は研削することによって形成される、研磨洗浄粒子を含む。木材もまた、本組成物の研磨洗浄粒子を作り出すために使用することができる。
【００３３】
好ましくは、堅果の殻は、ピスタチオナッツの殻、クルミの殻、アーモンドの殻、ヘーゼルナッツの殻、マカダミアナッツの殻、松の実の殻、及びこれらの混合物からなる群から選択される。好ましくは、堅果の殻は、ピスタチオナッツの殻、又はクルミの殻である。
【００３４】
核又は他の植物部分を使用して、本組成物のための洗浄粒子を作り出す場合、それらは、好ましくは、米、トウモロコシ穂軸、パームバイオマス、竹、ケナフ、リンゴ種子、杏仁、桃の核、サクランボの核、タグアヤシ（フィテレファス属）の種子、ドームヤシ（ヒファエネ属）の種子、サゴヤシ（メトロクシロン属）の種子、オリーブの核、及びこれらの混合物に由来する。核又は他の植物部分を使用する場合、オリーブの核が好ましい。
【００３５】
本明細書で使用される研磨粒子は、好ましくは、着色される。例えば、染料又は顔料の使用を介して、様々な周知の着色プロセスを使用することができる。最も一般的には、着色染料又は着色顔料が、粒子の表面上に沈着される（直接プロセス）。あるいは、その天然粒子が、天然に多孔質であるか、又は人工的手段（酸処理など）で多孔質にされる場合、染料又は顔料はまた、研磨粒子の中核部も着色することになる。それにも関わらず、天然研磨粒子は、意図する色を維持するために、その未加工の天然材料を最終的な粒径へと低減した後に、染色又は顔料着色される。
【００３６】
最も好ましくは、天然研磨粒子は、染料で着色される。好適な染料は、天然又は合成のいずれかである（合成染料に関する、Ｇｅｏｒｇｅ  Ｈ．Ｈｕｒｓｔによる「Ｔｈｅ  Ｄｉｃｔｉｏｎａｒｙ  ｏｆ  Ｃｏａｌ  Ｔａｒ  Ｃｏｌｏｕｒｓ」、又はより全般的には、Ｎｉｅｔｚｋｉによる「Ｔｈｅ  Ｃｈｅｍｉｓｔｒｙ  ｏｆ  Ｏｒｇａｎｉｃ  Ｃｏｌｏｕｒｉｎｇ  Ｍａｔｔｅｒｓ」）。使用される染料及び染色プロセスは、天然ベースの粒子を有効に着色するための、それらの能力に基づいて選択され、それらの粒子は、実質的な量のセルロース、リグノセルロース、及びより全般的な炭水化物誘導構造を含有する。
【００３７】
本発明による好ましい染料は、アゾ、ベンゾ、シカゴ、コロンビア、コンゴ、ジアミン若しくはトリアミン、パラミン、ジアニル、ミカド、オキシジアミン、チタン、ザンベシ、及びこれらの混合物の群に由来する。
【００３８】
本発明で使用される好適な染色プロセスは、直接染色プロセス、酸性染色プロセス、塩基性染色プロセス、及び媒染染色プロセスである。これらのプロセスは、その簡潔性及び汎用性のために、特に好ましい。最も好ましくは、直接染色プロセスが使用される。
【００３９】
直接染色プロセスでは、染料、又は染料の混合物が、水性媒体中で、天然研磨粒子と直接混合される。染料は、単独で使用されるか、あるいは金属炭酸塩、及び／又は金属重炭酸塩、及び／又は水酸化ナトリウム、及び／又はリン酸塩、及び／又はホウ砂塩、及び／又は硫酸ナトリウム塩、及び／又は酢酸からなる群から選択される、定着塩と共に使用される。定着塩は、この染色プロセスを改善する。反応混合物を、好ましくは、少なくとも１時間煮沸して、より堅牢で、より抵抗力のある染色結果を達成する。
【００４０】
任意選択的に、染料固着現象、例えば、液体洗浄組成物のエージング中又は使用中の、染料の浸出を最小限に抑えるために、直接染料は、塩及び／又は金属塩、例えば、亜鉛塩（例えば硫酸亜鉛）、若しくはクロム塩（例えばフッ化クロム）、若しくは鉄（例えば硫酸鉄）、ジルコニウム塩、アルミニウム塩、若しくは銅塩（例えば硫酸銅）と混合することができる。更には、直接染料はまた、ニトラゾールＣ、ＡｚｏｐｈｏｒレッドＰＮ、ＡｚｏｐｈｏｒブルーＰＮを使用するジアゾ化によって、有機カップリング剤と混合することもできる。
【００４１】
あるいは、直接染色プロセスは、その場で実施することができ、直接染料及び関連する定着塩は、液体組成物の作製及び／又は保管中に、天然研磨洗浄粒子がその場で染色されるように、液体洗浄組成物中に添加される。
【００４２】
本発明で使用される好適な直接染料は、例えば、アトラスレッドＲ、アゾブルー、アゾモーブＡＭ、アゾバイオレット、ベンゾアズリン３  Ｒ、ベンゾアズリンＧ、ベンゾブルー３  Ｂ、ベンゾブラウン、ベンゾブラウンＧ、ベンゾブラウンＮＢ、ベンゾクロムブラックブルーＢ、ベンゾファーストグレー、ベンゾグリーンＢＢ、ベンゾグリーンＧ、ベンゾオリーブ、ベンゾオレンジ、ベンゾオレンジＲ、ベンゾプルプリン、ベンゾプルプリン４  Ｂ、ブリリアントアズリン５  Ｇ、ブリリアントオレンジＧ、ブリリアントプルプリンＲ、シカゴブルー４  Ｒ、シカゴブルー６  Ｂ、クロロフェニンオレンジＲ、クリサミン、クリサミンＧ、クリサミンＲ、クリソフェニン、コロンビアブラックＦＢ、コロンビアブラックＦＢＢ、コロンビアグリーン、コロンビアオレンジＲ、コロンビアイエロー、コンゴブルー２  Ｂ、コンゴコリントＢ、コンゴコリントＧ、コンゴオレンジＲ、コンゴルビン、コンゴレッド、コットンブラウンＮ、コットンイエロー、クロスダイドラブ、クルクミンＳ、クルクフェニン、ジアミンブラックＢ、ジアミンブラックＢＨ、ジアミンブラックＢＯ、ジアミンブラックＨＷ、ジアミンブラックＲＯ、ジアミンブルー３  Ｂ、ジアミンブルー３  Ｒ、ジアミンブルーＢ  Ｇ、ジアミンブルーＢ  Ｘ、ジアミンブルーブラックＥ、ジアミンブルーブラックＲ、ジアミンブルーＲ  Ｗ、ジアミンボルドーＢ、ジアミンブリリアントブルーＧ、ジアミンブロンズ、ジアミンブロンズＧ、ジアミンブラウン、ジアミンブラウンＧ、ジアミンブラウンＭ、ジアミンブラウンＶ、ジアミンカテキンＢ、ジアミンカテキンＧ、ジアミンダークグリーンＮ、ジアミンディープブラックＣｒ、ジアミンディープブラックＲ  Ｂ、ジアミンディープブルーＲ、ジアミンファーストレッドＦ、ジアミンファーストイエロー、ジアミンファーストイエローＡ、ジアミンファーストイエローＢ、ジアミンファーストイエローＲ、ジアミンゴールド、ジアミングリーンＢ、ジアミングリーンＧ、ジアミンジェットブラックＣｒ、ジアミンジェットブラックＲ  Ｂ、ジアミンニューブルーＲ、ジアミンオレンジＢ、ジアミンオレンジＧ、ジアミンオレンジＧ  Ｄ、ジアミンレッド１０  Ｂ、ジアミンレッド５  Ｂ、ジアミンレッドＮ、ジアミンローズＢ  Ｄ、ジアミンローズＧ  Ｄ、ジアミンスカーレット３  Ｂ、ジアミンスカーレットＢ、ジアミンスカイブルー、ジアミンスカイブルーＦＦ、ジアミンスチールブルーＬ、ジアミンバイオレットＮ、ジアミンイエロー、ジアミンイエローＮ、ジアミネラルブルーＲ、ジアニルブラックＣＲ、ジアニルブルー、ジアニルブルー２  Ｒ、ジアニルブルー４  Ｒ、ジアニルブルーＢ、ジアニルブルーＧ、ジアニルブラウン３  Ｇ  Ｏ、ジアニルブラウンＢＤ、ジアニルブラウンＧ、ジアニルブラウンＲ、ジアニルブラウンＴ、ジアニルクラレットＢ、ジアニルクラレットＧ、ジアニルダークブルー３  Ｒ、ジアニルダークブルーＲ、ジアニルダークブラウン、ジアニルオリーブ、ジアニルオレンジ２  Ｒ、ジアニルオレンジＧ、ジアニルレッド４  Ｂ、ジアニルイエロー２  Ｒ、ジアニルイエロー３  Ｇ、ジアニルイエローＧ、ジアニルイエローＲ、ジフェニルブラウンＢ  Ｎ、ダイレクトディープブラックＥ、ダイレクトインディゴブルー、ダイレクトトリアミンブラックＧＸ、ダイレクトイエローＧ、ダイレクトイエローＲ、エリーブルーＢＸ、エリカＢ  Ｎ、ヘリオトロープ２  Ｂ、ヘリオトロープＢＢ、ヘッシアンブラウン２  Ｂ  Ｎ、ヘッシアンブラウン２  Ｍ、ミカドブラウンＭ、ミカドオレンジ４  Ｒ、ミカドオレンジＧ、ニュートラルグレーＧ、オキシジアミンブラックＡ、オキシジアミンブラックＮ、オキシジアミンブラックＮ  Ｒ、オキシジアミンオレンジＧ、オキシジアミンオレンジＲ、オキシジアミンバイオレットＢ、オキシジアミンバイオレットＧ、オキシジアミンイエローＧ  Ｇ、オキシフェニン、パラミンブルーＢ、パラミンブルーブラックＳ、パラミンブラウンＧ、パラミンインディゴブルー、パラミンネイビーブルーＲ、プルートブラックＢ、ローズアズリンＧ、ローズフェニン５  Ｂ、スルホンアズリンＤ、サンイエロー、チアゾールイエロー、チオフラビンＳ、チタンブルー３  Ｂ、チタンブルーＲ、チタンブラウンＲ、チタンブラウンＹ、チタンコモＧ、チタンコモＳＮ、チタンゴールド、チタンネイビーＲ、チタンオレンジ、チタンオレンジＮ、チタンスカーレットＣ、チタンスカーレットＤ、チタンイエローＧ  Ｇ、チタンイエローＹ、トルイレンオレンジＧ、トルイレンオレンジＲ、トリアミンブラックＢ、トリアミンブラックＢ  Ｔ、ザンベシブラックＢ  Ｒ、ザンベシブラックＤである。
【００４３】
塩基性染料を使用する塩基性染色プロセスもまた、本発明で使用することができるが、しかしながら、このプロセスは、直接染色プロセスと比較すると、好ましいプロセスではない。塩基性染料を使用する場合、それらは、好ましくは、染色結果を改善するために、カップリング剤と共に使用される。この場合には、天然研磨粒子は、好ましくは、媒染材料を使用して、例えば、酒石酸、吐酒石、スズ結晶、硫酸鉄、及びアンチモン塩、例えばフッ化アンチモンなどの、定着塩の有無に関わらず、媒染剤としてタンニン酸を使用することによって、前処理される。典型的には、この染色プロセスは、３つの工程で行われる。第１の工程では、粒子を、タンニン酸溶液で洗浄し、その後に、定着塩溶液で洗浄する任意選択の第２工程と、その研磨粒子を、塩基性染料又は塩基性染料溶液と接触させ、任意選択的に、少なくとも１時間煮沸する、最終の第３工程とが続く。最も好ましくは、塩基性染料は、タンニン酸と共に使用される。
【００４４】
あるいは、塩基性染料は、直接染料に対する上掛け染料として、例えば、直接染料／プロセスによって染色された研磨粒子上に、後から追加されるものとして使用される。この上掛け染料の目的は、直接染色プロセスのみでは容易に達成されない特定の色合いを、その上掛け染料を使用して達成することである。更には、塩基性染料を使用する、直接染料の上掛けにより、染料の安定性が改善される。
【００４５】
直接染料の上掛けに使用することができる、好適な塩基性染料の例は、ビスマルクブラウン、ブリリアントグリーン、メチルバイオレットＢ、メチルバイオレット２  Ｂ、メチルバイオレットＲ、メチルバイオレット３  Ｒ、ニュービクトリアブルーＢ、ニューメチレンブルーＮ、ニューメチレンブルー３  Ｒ、サフラニン、マラカイトグリーン、サフラニンＧ、タンニンヘリオトロープ、ターコイズブルーＧ、ターコイズブルーＢ  Ｂである。
【００４６】
塩基性染色プロセスで使用される、好適な塩基性染料の例は、オーラミンＧ、オーラミンＩＩ、ビスマルクブラウン、ビスマルクブラウン、ブリリアントグリーン、ブリリアントロデュリンレッドＢ、クリソイジン、ファーストニュートラルバイオレットＢ、インダミンブルーＮ、イリサミンＧ、マゼンタ、マラカイトグリーン、メタフェニレンブルーＢ、メチルバイオレット２  Ｂ、メチルバイオレット３  Ｒ、メチルバイオレット４  Ｒ、メチルバイオレットＢ、メチルバイオレットＲ、メチレンブルー２  Ｂ、メチレンブルーＢＢ、メチレングレーＢ  Ｆ、ナフチンドンＢ  Ｂ、ニューメチレンブルー３  Ｒ、ニューメチレンブルー３  Ｒ、ニューメチレンブルーＧ  Ｇ、ニューメチレンブルーＮＸ、ニューメチレンブルーＮ、ニューメチレンブルーＲ、ニューメチレングレーＢ、ニューメチレングレーＧ、ニューホスフィンＧ、ニュービクトリアブルーＢ、ローダミン６  Ｇ、ローダミンＢ、ローダミンＧ、ロデュリンバイオレット、サフラニンＧ、サフラニンプリマ、サフラニンＳ、サフラニン、タンニンヘリオトロープ、タンニンオレンジＲ、チオフラビンＴ、ターコイズブルーＢ  Ｂ、ターコイズブルーＧ、及びビクトリアブルーＢなどである。
【００４７】
あるいは、ヤーヌス塩基性染料を、硫酸、タンニン酸、酒石誘導体、又はこれらの混合物からなる群から選択される酸の有無に関わらず、塩基性染色プロセスで使用することができる。好適なヤーヌス染料の例は、ヤーヌスブルーＧ、ヤーヌスグリーンＢ、ヤーヌスブルーＲ、ヤーヌスイエローＲ、ヤーヌスレッドＢ、ヤーヌスクラレットレッドＢ、ヤーヌスイエローＲ、ヤーヌスグレーＢ、及びヤーヌスブラウンＢである。最も好ましくは、ヤーヌス染料は、硫酸と共に使用される。
【００４８】
媒染染色プロセスもまた、本発明で使用することができるが、しかしながら、このプロセスは、直接染色プロセスと比較すると、好ましいプロセスではない。本発明で使用される好適な媒染染料は、アリザリン、ロッグウッド、フスチック、バーウッド、カッチ、レゾルシングリーン、ペルシアンベリー、ブラジルウッド、カムウッド、コチニール、クエルシトロン、及びカッチであり、これらは全て、鉄、クロム、アルミニウム、スズ、鉛、及びカルシウムなどの、金属酸化物と組み合わせることができる。
【００４９】
この金属酸化物、例えば金属媒染剤は、任意の好適な方法によって、粒子上に定着される。典型的には、それらの粒子は、スズ酸、鉛、及びアルミニウムなどの金属塩で前処理して、その後に、金属酸化物（任意選択的に、酸性条件で、例えば、タンニン酸、硫酸などを使用して）を添加し、その後に引き続き、染料、又は染料の混合物を添加することができる。特にエオシン染料、及び一部のアゾ染料、具体的には、クロセインスカーレットが好ましいが、これは、その最終的な色の等級が、金属酸化物の選択によって影響を受けないためである。
【００５０】
あるいは、ロッグウッド、フスチック、マダー、アリザリンなどの媒染染料、及びアントラセンに由来する全ての染料もまた、使用することができるが、その最終的な色の等級は、使用される金属酸化物によって影響を受ける。例えば、ロッグウッドは、酸化クロムと共に使用される場合には青色を、又は酸化アルミナでは、すみれ色を生じさせ、一方で、アリザリンは、酸化鉄では暗紫色を、酸化アルミナでは緋色を、酸化クロムでは赤を、また酸化スズでは明るい緋色を生じさせる。フスチックは、酸化スズ及び酸化アルミナでは明るい黄色を、酸化クロムでは暗い黄色を、酸化鉄ではオリーブ色などを提供する。
【００５１】
あるいは、ＶＡＴ染色プロセスを、本発明で使用することができるが、しかしながら、このプロセスは、直接染色プロセスと比較すると、好ましいプロセスではない。ＶＡＴ染色プロセスでは、非水溶性染料が使用される。ＶＡＴ染料は、液体洗浄組成物中に配合される間の、着色粒子の安定性の維持に役立つために、好ましい。非水溶性ＶＡＴ染料は、典型的には、還元形態である（還元は、任意の既知の化学的手段によって行うことができる）。一部の染料は、溶液中又は懸濁液中のいずれかで、それらの染料の還元形態で市販されている。このＶＡＴ染料は、研磨粒子と接触され、次いで、この染料に接触した研磨粒子は、酸化プロセスを受けて、その場で、酸化状態の、実質的に非水溶性の、ＶＡＴ染料の形態を取り戻す。
【００５２】
本発明で使用される好適なＶＡＴ染料は、キノン系構造から誘導される構造、アントラキノン又はインジゴイドである。ＶＡＴ染料の非網羅的なリストは、インジゴ、及びインダンスレン若しくはフラバントロンの商品名の人工染料である。
【００５３】
更に別の実施形態では、染料は、ポリマー染料である。このポリマー染料は、ポリマーに、又はポリマー内に結合される、光学的発色基からなる。それらのポリマー染料は、その構造により、ブロックタイプ又はグラフトタイプのポリマーとして分類される。ブロックポリマー染料及びグラフトポリマー染料の双方とも、溶解度、吸収、移染、及び粘度などの、それらの可変的かつ修正可能な物理的特性範囲で、有利点を提供する。
【００５４】
非水溶性の発色団を含む、ポリマー水溶性染料もまた、本発明の研磨粒子を染色するために使用することができる。好ましいポリマー染料は、アゾ基、トリシアノビニル基、アントラキノン基、メチン基、及びインドアニリン基から選択される、ペンダント発色基を有する。
【００５５】
あるいは、天然研磨粒子は、顔料及び顔料着色プロセス若しくは技術の使用を介して、着色することができる。通常は、良好な着色結果は、天然粒子の表面上への、顔料の沈着を促進して、ある程度の顔料着色材料の連続層を作り出すことによって達成される。
【００５６】
この沈着プロセスの効率は、着色顔料をキャリア中に埋め込むことによって増大させることができ、そのキャリアは、樹脂、ポリマー、ワックスなど、及びこれらの混合物である。着色顔料とキャリアとの混合物を使用することによる着色プロセスは、蒸発若しくは沈殿が後に続く、溶媒又はエマルション、融解、あるいは、電解質ポリマーを使用する、層ごとの沈着を介して、例えば、陽性荷電ポリマーの水溶液、例えば、その高分子電解質溶液中の顔料の存在の有無に関わらず、例えばポリ（ジアリルジメチルアンモニウムクロリド）及びポリスチレンスルホネートの、連続添加を介して、達成することができる。噴霧着色を使用するプロセスが、個々の粒子の薄い被覆を達成するために、特に好ましい。
【００５７】
好適な顔料は、天然又は合成のものとすることができる。好ましい顔料は、無機鉱物であるか、又は有機起源によるものである。本発明の一実施形態では、顔料は、粉末状の形態であり、その顔料粉末の粒径は、５０μｍ未満、より好ましくは１０μｍ未満、更により好ましくは５μｍ未満、最も好ましくは１μｍ未満である。好ましい顔料は、化学的に不活性で、ＵＶに対して安定であるが、しかしながら、不堅牢顔料もまた、使用することができる。
【００５８】
本発明の一実施形態では、天然顔料は、雲母に由来する。本発明の更に別の実施形態では、植物材料、動物の排泄物、昆虫、及び軟体動物などの特殊な供給源からの顔料を、使用することができる。
【００５９】
本発明の別の実施形態によれば、顔料は、無機鉱物からのものとすることができる。好ましい無機顔料は、青２９ウルトラマリン、白６酸化チタン、及び白１８炭酸カルシウムなどの、ＦＤＡに認可された顔料である。好ましい有機顔料は、非網羅的な例では、青１５フタロシアニン、及び赤３８ピラゾロンなどの、ＦＤＡに認可された顔料である。本発明の一実施形態では、Ｅ１８０、Ｅ１７１、及びＥ１７２などの無機食品グレード顔料、並びにウコン顔料などの有機食品グレード顔料を使用することができる。
【００６０】
好ましくは、堅果の殻及び／又は植物性粒子の着色材料の層の厚さは、１μｍ〜４０μｍ、好ましくは１μｍ〜２０μｍ、より好ましくは１μｍ〜１０μｍである。この着色層の厚さは、スライスされた材料から、走査電子顕微鏡によって測定される。
【００６１】
本発明の一実施形態では、着色研磨洗浄粒子は、液体洗浄組成物の液相と同じ色である。
【００６２】
更に本発明の別の実施形態では、着色研磨洗浄粒子は、液体洗浄組成物の液相とは異なる色である。
【００６３】
更に本発明の別の実施形態では、着色研磨洗浄粒子は、液体洗浄組成物の液相と同じ色と、異なる色との混合である。
【００６４】
粒子及び液体洗浄組成物の液相の色は、ＣＩＥＬＡＢカラースケール（Ｌ*、ａ*、ｂ*）により測定され、このカラースケールは、人間の眼の中の受容器が、明と暗、赤と緑、黄色と青色の反対性として色を知覚することを想定する、反対色説に基づく。Ｌ*の値は、明るさ又は暗さのレベルを指示し、ａ*の値は、赤色度又は緑色度を指示し、ｂ*の値は、黄色度又は青色度を指示する。対象物の色を完全に説明するためには、３つの値の全てが必要とされる。
【００６５】
液体と研磨粒子とのＬ*ａ*ｂ*の値の差異は、ΔＬ*及びΔａ*及びΔｂ*の値によって指示される。
【００６６】
ΔＬ*は、着色粒子のＬ*の値と液体洗浄組成物の液相のＬ*の値との差異であり、Δａ*は、着色粒子のａ*の値と液体洗浄組成物の液相のａ*の値との差異であり、Δｂ*は、着色粒子のｂ*の値と液体洗浄組成物の液相のｂ*の値との差異であり、それぞれ、正及び負の双方のスケールに対するものである。
【００６７】
着色粒子と液体洗浄組成物の液相とが、ＣＩＥＬａｂ色測定に基づくＬ*ａ*ｂ*の値による、実質的に同じ色を有する場合、その研磨粒子と液体組成物の液相とのＬ*ａ*ｂ*の値の差異である、ΔＬ*及びΔａ*及びΔｂ*の値は、±２０以下、好ましくは±１０以下、最も好ましくは±５以下である。用語「実質的に同じ色」とは、同じであるか、又は同じ色に極めて近い色であり、ΔＬ*及びΔａ*及びΔｂ*の値の実質的な差異（±２０以下）のみを有する色を意味する。
【００６８】
例えば、洗浄組成物の液相のａ*の値が−３０である場合には、Δａ*の値は、±２０以下、好ましくは±１０以下、最も好ましくは±５以下であることから、粒子のａ*の値は、−５０〜−１０、好ましくは−４０〜−２０、より好ましくは−３５〜−２５とすることができる。同様に、着色粒子のａ*の値が４０である場合には、Δａ*の値は、±２０以下、好ましくは±１０以下、最も好ましくは±５以下であることから、液相のａ*の値は、６０〜２０、好ましくは５０〜３０、より好ましくは４５〜３５とすることができる。同一の評価基準が、ΔＬ*及びΔｂ*に適用される。
【００６９】
着色粒子と液体洗浄組成物の液相とが、ＣＩＥＬａｂ色測定に基づくＬ*ａ*ｂ*の値による、異なる色を有する場合、その研磨粒子と液体組成物の液相とのＬ*ａ*ｂ*の値の差異である、ΔＬ*及び／又はΔａ*及び／又はΔｂ*の値は、±３０以上、好ましくは±４０以上、最も好ましくは±５０以上である。用語「実質的に異なる色」とは、異なるか、又は極めて異なる色であり、ΔＬ*及びΔａ*及びΔｂ*の値の実質的な差異（±３０以上）を有する色を意味する。
【００７０】
洗浄製品及び天然粒子の色の測定
洗浄組成物の色は、１ｃｍの光路長で、二重ビーム分光光度計を使用して作製される測定値から計算された、ＣＩＥＬａｂ色空間座標内で定義されるべきである。測定は、計器の製造元の使用説明書に従って行われる。より詳細なＣＩＥＬａｂ計算についての情報は、「Ｃｏｌｏｒ  ｆｏｒ  Ｓｃｉｅｎｃｅ，Ａｒｔ  ａｎｄ  Ｔｅｃｈｎｏｌｏｇｙ」（Ｋ．Ｎａｓｓａｕ編、１９９８年、Ｅｌｓｅｖｉｅｒ  Ｓｃｉｅｎｃｅ  Ｂ．Ｖ．）の第２章、Ｔｈｅ  Ｍｅａｓｕｒｅｍｅｎｔ  ｏｆ  Ｃｏｌｏｒ（Ｒ．Ｔ．Ｍａｒｃｕｓ）で入手可能である。
【００７１】
以下の計器設定を使用して、等方性の非乳白化手洗い食器洗浄液体組成物のスペクトル測定値を取得するべきである。
【００７２】
【表１】
0005997161.tif 000002
【００７３】
好適な計器の一例は、白色内張り拡散積分球を使用して、サンプルに光を投影する、Ｈｕｎｔｅｒ  Ａｓｓｏｃｉａｔｅｓ  Ｌａｂｏｒａｔｏｒｙ  Ｉｎｃ製の、ＵｌｔｒａＳｃａｎ  ＸＥである。この計器によってサンプルのスペクトルが収集され、次いで、ソフトウェア、例えばＨｕｎｔｅｒ  Ａｓｓｏｃｉａｔｅｓ  Ｌａｂｏｒａｔｏｒｙ  Ｉｎｃ製の、Ｕｎｉｖｅｒｓａｌ  ｓｏｆｔｗａｒｅパッケージが、そのスペクトルデータを、ＣＩＥＬａｂのＬ*、ａ*、ｂ*の値に変換する。例えば、等方性かつ非乳白化手洗い食器洗浄液体組成物の色を測定するためには、測定ポートを完全に覆うために必要な量の製品で、１ｃｍ光路長サンプルキュベットを充填し、較正された分光光度計の透過ポートの正面に定置する。Ｈｕｎｔｅｒ  Ｌａｂ製の、標準化された白色基準セラミックタイルを、反射ポートの正面に定置して、光源、観測角、モード、スケール、及びＵＶフィルターの条件を、上記で指示されるように選択し、次いで、スペクトルデータを収集して、Ｌ*、ａ*、ｂ*の値を取得する。
【００７４】
着色天然粒子の色は、手持ち式分光光度計で測定して、ＣＩＥＬａｂカラースケールによる、その粒子サンプルのＬ*、ａ*、ｂ*の値を提供するべきである。好適な計器の一例は、ＢＹＫ  Ａｄｄｉｔｉｖｅｓ  ＆  Ｉｎｓｔｒｕｍｅｎｔｓ製の、ＢＹＫスペクトロガイド４５／０グロスであり、粒子で完全に充填された、光学ガラスサンプルプレート及び／又は光学ガラスサンプルカップ（付属品番号ＣＣ−６１３５及びＣＣ−６１３６）を、製造元の使用説明書、及び粒状／粉末状材料の測定に関する設定に従って、使用するべきである。
【実施例】
【００７５】
【表２】
0005997161.tif 000003
【００７６】
驚くべきことには、本発明の研磨洗浄粒子は、好ましくは組成物の０．５重量％〜２０重量％、好ましくは１重量％〜１０重量％、より好ましくは２重量％〜８重量％、最も好ましくは３重量％〜６重量％などの、比較的低濃度でさえも、良好な洗浄性能を示すことが見出されている。
【００７７】
好ましい実施形態では、研磨洗浄粒子は、好ましくは、非転動性である。あるいは、別の好ましい実施形態では、研磨洗浄粒子は、好ましくは、鋭利である。「非転動性」とは、研磨洗浄粒子と表面とが、摺動によって互いに接触していることを意味する。
【００７８】
実際に、本出願人は、非転動性及び／又は鋭利な研磨洗浄粒子が、良好な汚れ除去を提供することを見出した。
【００７９】
好ましい実施形態では、研磨洗浄粒子は、１０μｍ〜１０００μｍの、好ましくは５０μｍ〜５００μｍの、より好ましくは１００μｍ〜３５０μｍの、最も好ましくは１５０〜２５０μｍの平均ＥＣＤを有する。
【００８０】
研磨剤の粒径はまた、効率的な洗浄性能を達成するためにも極めて重要であるが、一方で、例えば、典型的には１０マイクロメートル未満の小さい粒径を有する、過剰な研磨剤集団は、小さい粒径に固有の、洗浄剤中の粒子充填量当たりの粒子の数の多さを特徴とするにも関わらず、洗浄と対比して、磨き作用を特徴とする。他方では、例えば、典型的には１０００マイクロメートルを超える過度に大きい粒径を有する研磨剤集団は、その大きい粒径に固有なこととして、洗浄剤中の粒子充填量当たりの粒子の数が著しく減少するために、最適な洗浄効率を提供しない。更には、実際面では、多数の小さい粒子は、様々な表面形態から除去することが困難である場合が多く、目視可能な粒子残渣を表面に残さない限りは、使用者には、除去するための過大な労力が要求されるため、過度に小さい粒径は、洗浄剤中で／洗浄作業に関しては、望ましくない。他方では、過度に大きい粒子は、目視での検出が容易過ぎるか、又は洗浄剤の取扱い若しくは使用中に、不快な触覚経験を提供する。それゆえ、本出願人らは、最適な洗浄性能及び使用経験の双方を提供する最適な粒径範囲を、本明細書で定義する。
【００８１】
研磨粒子は、円相当径ＥＣＤ（ＡＳＴＭ  Ｆ１８７７−０５、第１１．３．２項）とも呼ばれる、面積相当径（ＩＳＯ  ９２７６−６：２００８（Ｅ）第７項）によって定義されるサイズを有する。粒子集団の平均ＥＣＤは、１０μｍ未満の面積相当径（ＥＣＤ）を有する粒子のデータを、測定値及び計算から除外した後、少なくとも１０  ０００粒子の、好ましくは５０  ０００粒子よりも多くの、より好ましくは１００  ０００粒子よりも多くの粒子集団の、各粒子のそれぞれのＥＣＤの平均として計算される。平均データは、数に基づく測定と対比される、容積に基づく測定から抽出される。
【００８２】
好ましい一実施例では、本発明で使用される研磨洗浄粒子のサイズは、使用の間に変化し、特に、著しいサイズの低減を受ける。それゆえ、この粒子は、液体組成物中で、また使用プロセスの開始時には、目視可能であるか又は触覚的に検出可能なまま維持され、有効な洗浄を提供する。洗浄プロセスが進行するにつれて、研磨粒子は、より小さい粒子へと分散又は破砕して、肉眼では目視不能となるか、若しくは触覚的に検出不能となる。
【００８３】
堅果の殻及び／又は核及び／又は植物部分を、本明細書での研磨洗浄粒子に縮小する１つの好適な方法は、堅果の殻又は他の植物部分を、研削若しくは粉砕することである。他の好適な手段としては、集塵装置を備える高速の削剥ホイールなどの、削剥器具の使用が挙げられ、このホイールの表面は、パターンが彫刻されるか、又は研磨紙などで被覆されて、堅果の殻及び／又は核及び／又は他の植物部分が、本明細書での研磨洗浄粒子を形成することを促進する。
【００８４】
あるいは、バルク状の堅果の殻及び／又は核及び／又は植物部分を、手作業で細断するか若しくは切断することによって、又は、砕塊機、例えばＳ  Ｈｏｗｅｓ，Ｉｎｃ．（Ｓｉｌｖｅｒ  Ｃｒｅｅｋ，ＮＹ）製の２０３６型などの、機械的器具を使用することによって、数ｃｍの寸法の小片に破砕することができる。第２段階では、その塊を、プロペラ又は鋸歯状ディスクの分散器具を使用して揺動し、堅果の殻及び／又は核及び／又は植物部分に、封入された水を遊離させて、水相中に分散した堅果の殻及び／又は植物性粒子の、液体スラリーを形成させる。第３段階では、高剪断ミキサー（ＩＫＡ  Ｗｏｒｋｓ，Ｉｎｃ．（Ｗｉｌｍｉｎｇｔｏｎ，ＮＣ）製の、Ｕｌｔｒａ  Ｔｕｒｒａｘローターステーター式ミキサーなど）を使用して、この一次スラリーの粒径を、洗浄粒子に関して要求される粒径に縮小することができる。好ましくは、研削又は粉砕の作業を介して得られる研磨洗浄粒子は、単一粒子である。
【００８５】
本発明で好ましい研磨洗浄粒子は、着色処理を施される前、又は液体洗浄組成物中に浸漬される前に、ショアＤ硬度スケールにより測定される、４０〜９０の、好ましくは６０〜９０の、より好ましくは５０〜８５の、最も好ましくは７０〜８０の硬度を有する。このショアＤの硬度は、ＡＳＴＭ  Ｄ２２４０で説明される手順により、タイプＤのデュロメータで測定される。
【００８６】
あるいは、本発明で好ましい研磨洗浄粒子は、液体洗浄組成物中に浸漬される場合、モース硬度スケールにより測定される、０．２〜３の、好ましくは０．２〜２の硬度を有する。モース硬度スケールは、化合物の硬度を、既知の硬度の化合物と対比して測定するための、国際的に承認されたスケールであり、「Ｅｎｃｙｃｌｏｐｅｄｉａ  ｏｆ  Ｃｈｅｍｉｃａｌ  Ｔｅｃｈｎｏｌｏｇｙ，Ｋｉｒｋ−Ｏｔｈｍｅｒ，４th  Ｅｄｉｔｉｏｎ  Ｖｏｌ  １」、１８ページ、又はＬｉｄｅ，Ｄ．Ｒ編の「ＣＲＣ  Ｈａｎｄｂｏｏｋ  ｏｆ  Ｃｈｅｍｉｓｔｒｙ  ａｎｄ  Ｐｈｙｓｉｃｓ，７３  ｒｄ  ｅｄｉｔｉｏｎ」（Ｂｏｃａ  Ｒａｔｏｎ，Ｆｌａ．：Ｔｈｅ  Ｒｕｂｂｅｒ  Ｃｏｍｐａｎｙ，１９９２〜１９９３）を参照されたい。
【００８７】
「洗浄粒子の硬度」とは、本明細書では、研磨剤材料の中核部材料の硬度を意味する。被覆／着色材料は、全体の硬度に影響を及ぼさない。
【００８８】
本発明で使用される研磨洗浄粒子は、着色された堅果の殻の粒子、又は核からの着色粒子、又は他の植物部分に由来する着色粒子と、他の好適な研磨洗浄粒子との、混合物とすることができる。しかしながら、全ての他の研磨洗浄粒子は、９０以下のショアＤ硬度スケール、又は３未満のモース硬度を有する必要がある。他の研磨洗浄粒子は、プラスチック、硬質ワックス、無機及び有機の研磨剤、並びに天然材料からなる群から選択することができる。他の研磨洗浄粒子は、実質的に非水溶性であるか、又はある程度水溶性である。最も好ましくは、この研磨性成分は、炭酸カルシウムであるか、又は天然植物性研磨剤に由来する。更には、他の研磨粒子の色は、本発明のΔＬ*、Δａ*、Δｂ*の要件に適合する必要がある。
【００８９】
任意成分
本発明による組成物は、目的とする技術的利益、及び処理される表面に応じて、様々な任意成分み得る。
【００９０】
本明細書での使用に関して好適な任意成分としては、懸濁助剤、キレート剤、界面活性剤、ラジカルスカベンジャー、香料、表面変性型ポリマー、溶剤、ビルダー、緩衝剤、殺菌剤、防腐剤、ヒドロトロープ、着色剤、安定剤、漂白剤、漂白活性化剤、脂肪酸のような泡抑制剤、酵素、汚れ懸濁剤、増白剤、防塵剤、分散剤、顔料、及び染料が挙げられる。
【００９１】
懸濁助剤
本明細書での組成物中に存在する研磨洗浄粒子は、液体組成物中の固体粒子である。この研磨洗浄粒子は、液体組成物中に懸濁させることができる。しかしながら、そのような研磨洗浄粒子が、組成物内部で安定して懸濁せずに、沈殿するか、又は組成物の上面に浮遊することは、十分に本発明の範囲内である。この場合には、使用者は、その組成物を使用前に揺動（例えば、振盪又は撹拌）することによって、一時的に研磨洗浄粒子を懸濁させなければならない場合がある。
【００９２】
しかしながら、本明細書では、研磨洗浄粒子は、本明細書での液体組成物中に、安定して懸濁することが好ましい。それゆえ、本明細書での組成物は、懸濁助剤を含む。
【００９３】
本明細書での懸濁助剤は、構造形成剤などの、本発明の液体組成物中で研磨洗浄粒子の懸濁液を提供するために特定的に選択される化合物とするか、あるいは、増粘剤又は界面活性剤（本明細書の他の箇所で説明されるような）などの、別の機能も提供する化合物とすることができる。
【００９４】
洗浄組成物中、及び他の洗剤若しくは化粧品組成物中で、典型的には、ゲル化剤、増粘剤、若しくは懸濁剤として使用される、任意の好適な有機及び無機の懸濁助剤を、本明細書で使用することができる。実際に、好適な有機懸濁助剤は多糖ポリマーを含む。更には、又は代替として、ポリカルボキシレートポリマー増粘剤を、本明細書で使用することができる。また、更には、又は上記の代替として、層状ケイ酸塩小板、例えば、ヘクトライト、ベントナイト、又はモンモリロナイトもまた使用することができる。好適な市販の層状ケイ酸塩は、Ｒｏｃｋｗｏｏｄ  Ａｄｄｉｔｉｖｅｓより入手可能な、Ｌａｐｏｎｉｔｅ  ＲＤ（登録商標）又はＯｐｔｉｇｅｌ  ＣＬ（登録商標）である。
【００９５】
好適なポリカルボキシレートポリマー増粘剤としては、（好ましくは、軽度に）架橋されたポリアクリレートが挙げられる。特に好適なポリカルボキシレートポリマー増粘剤は、Ｌｕｂｒｉｚｏｌより、商品名Ｃａｒｂｏｐｏｌ  ６７４（登録商標）で市販の、Ｃａｒｂｏｐｏｌである。
【００９６】
本明細書での使用に関して好適な多糖ポリマーとしては、カルボキシメチルセルロース、エチルセルロース、ヒドロキシエチルセルロース、ヒドロキシプロピルセルロース、ヒドロキシメチルセルロースのような置換セルロース材料；米国特許出願公開第２００８／０１０８７１４号（ＣＰ  Ｋｅｌｃｏ）又は同第２０１０／０２１０５０１号（Ｐ＆Ｇ）で説明されるようなミクロフィブリルセルロース（ＭＦＣ）；サクシノグリカン、及びキサンタンガム、ジェランガム、グアーガム、ローカストビーンガム、トラガカントガム、サクシノグルカンガム、若しくはこれらの誘導体のような天然起源の多糖ポリマー、あるいはこれらの混合物が挙げられる。キサンタンガムは、Ｋｅｌｃｏより、商品名Ｋｅｌｚａｎ  Ｔで市販されている。
【００９７】
好ましくは、本明細書での懸濁助剤は、キサンタンガムである。代替的実施形態では、本明細書での懸濁助剤は、ポリカルボキシレートポリマー増粘剤、好ましくは、（好ましくは、軽度に）架橋されたポリアクリレートである。本明細書での極めて好ましい実施形態では、液体組成物は、多糖ポリマー又はその混合物、好ましくはキサンタンガムと、ポリカルボキシレートポリマー又はその混合物、好ましくは架橋ポリアクリレートとの組み合わせを含む。
【００９８】
好ましい実施例としては、キサンタンガムは、好ましくは、組成物全体の０．１重量％〜５重量％の、より好ましくは０．５重量％〜２重量％の、更により好ましくは０．８重量％〜１．２重量％の濃度で存在する。
【００９９】
有機溶媒
任意選択ではあるが、極めて好ましい成分として、本明細書での組成物は、有機溶媒又はその混合物を含む。
【０１００】
本明細書での組成物は、組成物全体の０重量％〜３０重量％の、より好ましくは約１．０重量％〜約２０重量％の、最も好ましくは約２重量％〜約１５重量％の有機溶媒又はその混合物を含む。
【０１０１】
好適な溶媒は、約４〜約１４個の炭素原子、好ましくは約６〜約１２個の炭素原子、より好ましくは約８〜約１０個の炭素原子を有する、脂肪族アルコール、エーテル、及びジエーテル；グリコール又はアルコキシル化グリコール；グリコールエーテル；アルコキシル化芳香族アルコール；芳香族アルコール；テルペン；並びにこれらの混合物からなる群から選択することができる。脂肪族アルコール及びグリコールエーテルの溶媒が最も好ましい。
【０１０２】
式Ｒ−ＯＨの脂肪族アルコールであり、式中、Ｒが、炭素原子が約１〜約２０個の、好ましくは約２〜約１５個の、より好ましくは約５〜約１２個の、直鎖又は分枝状、飽和又は不飽和のアルキル基であるものが、好適な溶媒である。好適な脂肪族アルコールは、メタノール、エタノール、プロパノール、イソプロパノール、又はこれらの混合物である。脂肪族アルコールの中でも、その高い蒸気圧、及び残渣を残さない傾向のために、エタノール及びイソプロパノールが最も好ましい。
【０１０３】
本明細書で使用される好適なグリコールは、式ＨＯ−ＣＲ1Ｒ2−ＯＨに従うものであり、式中、Ｒ１及びＲ２は、独立して、Ｈ、又はＣ2〜Ｃ10の飽和若しくは不飽和の脂肪族炭化水素鎖及び／又は環状鎖である。本明細書で使用される好適なグリコールは、ドデカングリコール及び／又はプロパンジオールである。
【０１０４】
好ましい一実施形態では、少なくとも１種のグリコールエーテル溶媒が、本発明の組成物中に組み込まれる。特に好ましいグリコールエーテルは、１〜３個のエチレングリコール部分又はプロピレングリコール部分に結合された、末端Ｃ3〜Ｃ6の炭化水素を有し、適切な程度の疎水性、及び好ましくは表面活性を提供する。エチレングリコールの化学的性質に基づく市販の溶媒の例としては、Ｄｏｗ  Ｃｈｅｍｉｃａｌより入手可能な、モノ−エチレングリコールｎ−ヘキシルエーテル（Ｈｅｘｙｌ  Ｃｅｌｌｏｓｏｌｖｅ（登録商標））が挙げられる。プロピレングリコールの化学的性質に基づく市販の溶媒の例としては、プロピル並びにブチルアルコールの、ジ−及びトリ−プロピレングリコール誘導体が挙げられ、それらは、Ａｒｃｏより、商品名Ａｒｃｏｓｏｌｖ（登録商標）及びＤｏｗａｎｏｌ（登録商標）で入手可能である。
【０１０５】
本発明との関連では、好ましい溶媒は、モノ−プロピレングリコールモノ−プロピルエーテル、ジ−プロピレングリコールモノ−プロピルエーテル、モノ−プロピレングリコールモノ−ブチルエーテル、ジ−プロピレングリコールモノ−プロピルエーテル、ジ−プロピレングリコールモノ−ブチルエーテル；トリ−プロピレングリコールモノ−ブチルエーテル；エチレングリコールモノ−ブチルエーテル；ジ−エチレングリコールモノ−ブチルエーテル、エチレングリコールモノ−ヘキシルエーテル、及びジ−エチレングリコールモノ−ヘキシルエーテル、並びにこれらの混合物からなる群から選択される。「ブチル」は、ノルマルブチル基、イソブチル基、及び第三級ブチル基を含む。モノ−プロピレングリコール及びモノ−プロピレングリコールモノ−ブチルエーテルが、最も好ましい洗浄溶媒であり、商品名Ｄｏｗａｎｏｌ  ＤＰｎＰ（登録商標）及びＤｏｗａｎｏｌ  ＤＰｎＢ（登録商標）で入手可能である。ジ−プロピレングリコールモノ−ｔ−ブチルエーテルは、ＡｒｃｏＣｈｅｍｉｃａｌより、商品名Ａｒｃｏｓｏｌｖ  ＰＴＢ（登録商標）で市販されている。
【０１０６】
特に好ましい実施形態では、洗浄溶媒は、不純物を最小限に抑えるために、精製される。そのような不純物としては、アルデヒド、ダイマー、トリマー、オリゴマー、及び他の副生成物が挙げられる。これらの不純物は、製品の臭気、香料の溶解度、及び最終結果に悪影響を及ぼすことが見出されている。本発明者らはまた、低濃度のアルデヒドを含有する一般的な市販の溶媒が、特定の表面の不可逆的かつ修復不能な黄化を引き起こす恐れがあることも見出した。そのような不純物を最小限に抑えるか、又は除去するために、洗浄溶媒を精製することによって、表面損傷が軽減されるか、又は解消される。
【０１０７】
好ましいものではないが、本発明では、テルペンを使用することができる。本明細書で使用される好適なテルペンは、単環式テルペン、二環式テルペン、及び／又は非環式テルペンである。好適なテルペンは、Ｄ−リモネン；ピネン；パイン油；テルピネン；メントール、テルピネオール、ゲラニオール、チモールなどのテルペン誘導体；及びシトロネラ若しくはシトロネロールタイプの成分である。
【０１０８】
本明細書で使用される好適なアルコキシル化芳香族アルコールは、式Ｒ−（Ａ）n−ＯＨに従うものであり、式中、Ｒは、炭素原子が約１〜約２０個の、好ましくは約２〜約１５個の、より好ましくは約２〜約１０個の、アルキル置換又はアルキル非置換のアリール基であり、Ａは、アルコキシ基、好ましくはブトキシ基、プロポキシ基、及び／又はエトキシ基であり、ｎは、約１〜約５の、好ましくは約１〜約２の整数である。好適なアルコキシル化芳香族アルコールは、ベンゾキシエタノール及び／又はベンゾキシプロパノールである。
【０１０９】
本明細書で使用される好適な芳香族アルコールは、式Ｒ−ＯＨに従うものであり、式中、Ｒは、炭素原子が約１〜約２０個の、好ましくは約１〜約１５個の、より好ましくは約１〜約１０個の、アルキル置換又はアルキル非置換のアリール基である。例えば、本明細書で使用される好適な芳香族アルコールは、ベンジルアルコールである。
【０１１０】
界面活性剤
本明細書での組成物は、非イオン性、アニオン性、双極性、両性、カチオン性の界面活性剤、又はこれらの混合物を含み得る。好適な界面活性剤は、８〜２０個の炭素原子を含有する疎水性鎖を有する、非イオン性、アニオン性、双極性、カチオン性、及び両性の界面活性剤からなる群から選択されるものである。好適な界面活性剤の例は、「ＭｃＣｕｔｃｈｅｏｎ’ｓ  Ｖｏｌ．１：Ｅｍｕｌｓｉｆｉｅｒｓ  ａｎｄ  Ｄｅｔｅｒｇｅｎｔｓ」（Ｎｏｒｔｈ  Ａｍｅｒｉｃａｎ  Ｅｄ．，ＭｃＣｕｔｃｈｅｏｎ  Ｄｉｖｉｓｉｏｎ，ＭＣ  Ｐｕｂｌｉｓｈｉｎｇ  Ｃｏ．，２００２）で説明されている。
【０１１１】
好ましくは、本明細書での組成物は、組成物全体の０．０１重量％〜５０重量％の、より好ましくは０．５重量％〜４０重量％の、最も好ましくは１重量％〜３６重量％の界面活性剤、又はその混合物を含む。
【０１１２】
好適な非イオン性界面活性剤の非限定的な例としては、アルコールアルコキシレート、アルキル多糖、アミンオキシド、エチレンオキシドとプロピレンオキシドとのブロックコポリマー、フルオロ界面活性剤、及びケイ素系界面活性剤が挙げられる。非イオン性界面活性剤は、補助界面活性剤として存在する場合、液体洗剤組成物の０．０１重量％〜１５重量％、好ましくは０．１重量％〜１２重量％、より好ましくは０．５重量％〜１０重量％の、典型的な量で含まれる。主界面活性剤として存在する場合、この非イオン性界面活性剤は、組成物全体の０．８重量％〜４０重量％、好ましくは１重量％〜３８重量％、より好ましくは２重量％〜３５重量％の、典型的な量で含まれる。
【０１１３】
本発明に関して好適な、好ましい部類の非イオン性界面活性剤は、アルキルエトキシレートである。本発明のアルキルエトキシレートは、直鎖又は分枝状、第一級又は第二級のいずれかであり、疎水性末端基中に、８個の炭素原子〜２２個の炭素原子、及び親水性先端基中に、１つのエチレンオキシド単位〜２５のエチレンオキシド単位を含む。アルキルエトキシレートの例としては、Ｓｈｅｌｌ  Ｃｏｒｐｏｒａｔｉｏｎ（Ｐ．Ｏ．Ｂｏｘ  ２４６３，１  Ｓｈｅｌｌ  Ｐｌａｚａ  Ｈｏｕｓｔｏｎ，Ｔｅｘａｓ）により供給される、Ｎｅｏｄｏｌ  ９１−６（登録商標）、Ｎｅｏｄｏｌ  ９１−８（登録商標）、及びＣｏｎｄｅａ  Ｃｏｒｐｏｒａｔｉｏｎ（９００  Ｔｈｒｅａｄｎｅｅｄｌｅ  Ｐ．Ｏ．Ｂｏｘ  １９０２９，Ｈｏｕｓｔｏｎ，ＴＸ）により供給される、Ａｌｆｏｎｉｃ  ８１０−６０（登録商標）が挙げられる。より好ましいアルキルエトキシレートは、疎水性末端基中に９〜１５個の炭素原子、及び親水性先端基中に４〜１２のオキシド単位を含む。最も好ましいアルキルエトキシレートは、Ｃ9〜11  ＥＯ5であり、Ｓｈｅｌｌ  Ｃｈｅｍｉｃａｌ  Ｃｏｍｐａｎｙより、商品名Ｎｅｏｄｏｌ  ９１−５（登録商標）で入手可能である。非イオン性エトキシレートはまた、分枝アルコールからも誘導することができる。例えば、プロピレン又はブチレンなどの分枝オレフィン原材料から、アルコールを作製することができる。好ましい実施形態では、分枝アルコールは、２−プロピル−１−ヘプチルアルコール、又は２−ブチル−１−オクチルアルコールのいずれかである。望ましい分枝アルコールエトキシレートは、２−プロピル−１−ヘプチルＥＯ７／ＡＯ７であり、ＢＡＳＦ  Ｃｏｒｐｏｒａｔｉｏｎより、商品名Ｌｕｔｅｎｓｏｌ  ＸＰ  ７９／ＸＬ  ７９（登録商標）で、製造及び販売されている。
【０１１４】
本発明に関して好適な、別の好ましい部類の非イオン性界面活性剤は、アミンオキシドであり、特に、ココジメチルアミンオキシド又はココアミドプロピルジメチルアミンオキシドである。アミンオキシドは、直鎖又は中分枝状のアルキル部分を有し得る。典型的な直鎖アミンオキシドとしては、式Ｒ1−Ｎ（Ｒ2）（Ｒ3）→Ｏの水溶性アミンオキシドが挙げられ、式中、Ｒ1は、Ｃ8〜18のアルキル部分であり、Ｒ2及びＲ3は、独立して、Ｃ1〜3のアルキル基及びＣ1〜3のヒドロキシアルキル基からなる群から選択され、好ましくは、メチル、エチル、プロピル、イソプロピル、２−ヒドロキシエチル、２−ヒドロキシプロピル、及び３−ヒドロキシプロピルが挙げられる。直鎖アミンオキシド界面活性剤としては、具体的には、直鎖Ｃ10〜Ｃ18のアルキルジメチルアミンオキシド、及び直鎖Ｃ8〜Ｃ12のアルコキシエチルジヒドロキシエチルアミンオキシドを挙げることができる。好ましいアミンオキシドとしては、直鎖Ｃ10、直鎖Ｃ10〜Ｃ12、及び直鎖Ｃ12〜Ｃ14のアルキルジメチルアミンオキシドが挙げられる。本明細書で使用するとき、「中分枝状」とは、アミンオキシドが、ｎ1の炭素原子を有する１つのアルキル部分を有し、そのアルキル部分上の１つのアルキル分枝が、ｎ2の炭素原子を有することを意味する。このアルキル分枝は、アルキル部分の窒素からのα炭素上に位置する。アミンオキシドに関する、このタイプの分枝はまた、当該技術分野において、内在アミンオキシドとしても既知である。ｎ1とｎ2との総和は、炭素原子１０〜２４個、好ましくは１２〜２０個、より好ましくは１０〜１６個である。１つのアルキル部分に関する炭素原子の数（ｎ1）は、その１つのアルキル部分と１つのアルキル分枝とが対称となるように、１つのアルキル分枝（ｎ2）とほぼ同じ数の炭素原子とするべきである。本明細書で使用するとき、「対称」とは、本明細書で使用される中分枝状アミンオキシドの少なくとも５０重量％、より好ましくは少なくとも７５重量％〜１００重量％で、｜ｎ1−ｎ2｜が５個以下の、好ましくは４個の、最も好ましくは０〜４個の炭素原子であることを意味する。
【０１１５】
アミンオキシドは、Ｃ1〜3のアルキル、Ｃ1〜3のヒドロキシアルキル基、又は平均で約１〜約３個のエチレンオキシド基を含有するポリエチレンオキシド基から独立して選択される、２つの部分を更に含む。好ましくは、この２つの部分は、Ｃ1〜3のアルキルから選択され、より好ましくは、双方ともＣ1のアルキルとして選択される。
【０１１６】
本発明に関して好適な、別の部類の非イオン性界面活性剤は、アルキル多糖である。そのような界面活性剤は、米国特許第４，５６５，６４７号、同第５，７７６，８７２号、同第５，８８３，０６２号、及び同第５，９０６，９７３号に開示されている。アルキル多糖の中でも、５及び／又は６炭糖の環を含むアルキルポリグリコシドが好ましく、６炭糖の環を含むものがより好ましく、６炭糖の環がグルコースから誘導されるもの、すなわち、アルキルポリグリコシド（「ＡＰＧ」）が最も好ましい。ＡＰＧ鎖長中のアルキル置換基は、好ましくは、８〜１６個の炭素原子を含有し、１０個の炭素原子の平均鎖長を有する、飽和又は不飽和のアルキル部分である。Ｃ8〜Ｃ16のアルキルポリグリコシドは、幾つかの供給元より市販されている（例えば、Ｓｅｐｐｉｃ  Ｃｏｒｐｏｒａｔｉｏｎ（７５  Ｑｕａｉ  ｄ’Ｏｒｓａｙ，７５３２１  Ｐａｒｉｓ，Ｃｅｄｅｘ  ７，Ｆｒａｎｃｅ）製のＳｉｍｕｓｏｌ（登録商標）界面活性剤、並びにＣｏｇｎｉｓ  Ｃｏｒｐｏｒａｔｉｏｎ（Ｐｏｓｔｆａｃｈ  １３  ０１  ６４，Ｄ  ４０５５１，Ｄｕｓｓｅｌｄｏｒｆ，Ｇｅｒｍａｎｙ）製のＧｌｕｃｏｐｏｎ  ２２０（登録商標）、Ｇｌｕｃｏｐｏｎ  ２２５（登録商標）、Ｇｌｕｃｏｐｏｎ  ４２５（登録商標）、Ｐｌａｎｔａｒｅｎ  ２０００Ｎ（登録商標）、及びＰｌａｎｔａｒｅｎ  ２０００Ｎ  ＵＰ（登録商標））。アルキルグリセロールエーテル及びソルビタンエステルもまた、好適である。
【０１１７】
本発明に関して好適な、別の部類の非イオン性界面活性剤は、７〜２１個の、好ましくは９〜１７個の炭素原子を含有するアルキル基を含む、脂肪酸アミド界面活性剤である。好ましいアミドは、Ｃ8〜Ｃ20のアンモニアアミド、モノエタノールアミド、ジエタノールアミド、及びイソプロパノールアミドである。
【０１１８】
使用することができる他の非イオン性界面活性剤としては、糖などの天然源由来のものが挙げられ、Ｃ8〜Ｃ16のＮ−アルキルグルコースアミド界面活性剤が挙げられる。
【０１１９】
本明細書で使用される代替的な非イオン性洗剤界面活性剤は、アルコキシル化アルコールであり、一般に、そのアルコールの疎水性アルキル鎖中に８〜１６個の炭素原子を含む。典型的なアルコキシル化基は、プロポキシ基、又はプロポキシ基との組み合わせでアルキルエトキシプロポキシレートを生成するエトキシ基である。そのような化合物は、Ｒｈｏｄｉａ（４０  Ｒｕｅ  ｄｅ  ｌａ  Ｈａｉｅ−Ｃｏｑ  Ｆ−９３３０６，Ａｕｂｅｒｖｉｌｌｉｅｒｓ  Ｃｅｄｅｘ，Ｆｒａｎｃｅ）より入手可能な、商品名Ａｎｔａｒｏｘ（登録商標）、及びＳｈｅｌｌ  Ｃｈｅｍｉｃａｌより入手可能な、商品名Ｎｏｎｉｄｅｔ（登録商標）で、市販されている。
【０１２０】
プロピレンオキシドとプロピレングリコールとの縮合によって形成される、エチレンオキシドと疎水性塩基との縮合生成物もまた、本明細書での使用に関して好適である。これらの化合物の疎水性部分は、好ましくは１５００〜１８００の分子量を有し、非水溶性を呈する。この疎水性部分へのポリオキシエチレン部分の付加は、全体としての、その分子の水溶性を増大させる傾向にあり、製品の液体性は、ポリオキシエチレン含有率が、最大４０モルのエチレンオキシドとの縮合に相当する、縮合生成物の総重量の約５０％となる点まで保持される。このタイプの化合物の例としては、ＢＡＳＦによる販売の、市販のＰｌｕｒｏｎｉｃ（登録商標）界面活性剤のうちの一部が挙げられる。化学的には、そのような界面活性剤は、構造（ＥＯ）x（ＰＯ）y（ＥＯ）z、又は（ＰＯ）x（ＥＯ）y（ＰＯ）zを有し、式中、ｘ、ｙ、及びｚは、１〜１００、好ましくは３〜５０である。良好な湿潤界面活性剤であることが既知の、Ｐｌｕｒｏｎｉｃ（登録商標）界面活性剤が、より好ましい。Ｐｌｕｒｏｎｉｃ（登録商標）界面活性剤、及び湿潤性を含めたその特性の説明は、ＢＡＳＦより入手可能な、表題「ＢＡＳＦ  Ｐｅｒｆｏｒｍａｎｃｅ  Ｃｈｅｍｉｃａｌｓ  Ｐｌｕｔｏｎｉｃ（登録商標）＆  Ｔｅｔｒｏｎｉｃ（登録商標）Ｓｕｒｆａｃｔａｎｔｓ」のパンフレットに見出すことができる。
【０１２１】
好ましいものではないが、他の好適な非イオン性界面活性剤としては、アルキルフェノールのポリエチレンオキシド縮合体、例えば、６〜１２個の炭素原子を直鎖配置又は分枝鎖配置のいずれかで含有するアルキル基を有する、アルキルフェノールと、エチレンオキシドとの縮合生成物が挙げられ、このエチレンオキシドは、アルキルフェノール１モル当たり、エチレンオキシド５〜２５モルに想到する量で存在する。そのような化合物中のアルキル置換基は、オリゴマー化プロピレン、ジイソブチレンから、又はイソ−オクタン、ｎ−オクタン、イソ−ノナン、若しくはｎ−ノナンの他の供給源から、誘導することができる。
【０１２２】
本明細書での使用に関して好適なアニオン性界面活性剤は、当業者には周知の、全てのアニオン性界面活性剤である。本明細書で使用されるアニオン性界面活性剤としては、アルキルスルホネート、アルキルアリールスルホネート、アルキルサルフェート、アルキルアルコキシル化サルフェート界面活性剤、Ｃ6〜Ｃ20のアルキルアルコキシル化直鎖若しくは分枝状ジフェニルオキシドジスルホネート、又はこれらの混合物が挙げられる。
【０１２３】
組成物中に存在する場合、アニオン性界面活性剤は、０．０１重量％〜５０重量％の、好ましくは０．５重量％〜４０重量％の、より好ましくは２重量％〜３５重量％の範囲の量で、本明細書での組成物中に組み込むことができる。
【０１２４】
本明細書での組成物中での使用に関して好適なサルフェート界面活性剤としては、Ｃ10〜Ｃ14のアルキル若しくはヒドロキシアルキルの、サルフェート及び／又はエーテルサルフェートの、水溶性の塩あるいは酸が挙げられる。好適な対イオンとしては、水素、アルカリ金属カチオン、又はアンモニウム若しくは置換アンモニウムが挙げられるが、好ましくはナトリウムである。ヒドロカルビル鎖が分枝状である場合、Ｃ1〜4のアルキル分枝単位を含むことが好ましい。サルフェート界面活性剤の平均分枝百分率は、ヒドロカルビル鎖全体の、好ましくは３０％超、より好ましくは３５％〜８０％、最も好ましくは４０％〜６０％である。
【０１２５】
サルフェート界面活性剤は、Ｃ8〜Ｃ20の、第一級、分枝鎖、及びランダムなアルキルサルフェート（ＡＳ）、Ｃ10〜Ｃ18の第二級（２，３）アルキルサルフェート、Ｃ10〜Ｃ18のアルキルアルコキシサルフェート（ＡＥxＳ）（式中、好ましくは、ｘは１〜３０である）、好ましくは１〜５のエトキシ単位を含むＣ10〜Ｃ18のアルキルアルコキシカルボキシレート、米国特許第６，０２０，３０３号及び同第６，０６０，４４３号で論じられる中鎖分枝状アルキルサルフェート、米国特許第６，００８，１８１号及び同第６，０２０，３０３号で論じられる中鎖分枝状アルキルアルコキシサルフェートから選択することができる。
【０１２６】
本明細書での使用に関して好適なアルキルアルコキシル化サルフェート界面活性剤は、式ＲＯ（Ａ）mＳＯ3Ｍに従うものであり、式中、Ｒは、Ｃ6〜Ｃ20のアルキル成分を有する、未置換のＣ6〜Ｃ20のアルキル又はヒドロキシアルキル基であり、好ましくは、Ｃ8〜Ｃ20のアルキル又はヒドロキシアルキル、より好ましくは、Ｃ10〜Ｃ18のアルキル若しくはヒドロキシアルキルであり、Ａは、エトキシ又はプロポキシ単位であり、ｍは、０よりも大きく、典型的には０．５〜６であり、より好ましくは０．５〜５であり、Ｍは、Ｈ又はカチオン、例えば、金属カチオン（例えば、ナトリウム、カリウム、リチウム、カルシウム、マグネシウムなど）、アンモニウム若しくは置換アンモニウムカチオンとすることができる。アルキルエトキシル化サルフェート並びにアルキルプロポキシル化サルフェートが、本明細書で想到される。置換アンモニウムカチオンの具体的な例としては、メチル−、ジメチル−、トリメチル−アンモニウム、及びテトラメチルアンモニウム、ジメチルピペリジニウムなどの第四級アンモニウムカチオン、並びにエチルアミン、ジエチルアミン、トリエチルアミンなどのアルカノールアミンから誘導されるカチオン、並びにこれらの混合物などが挙げられる。例示的な界面活性剤は、Ｃ12〜Ｃ18のアルキルポリエトキシレート（１．０）サルフェート（Ｃ12〜Ｃ18Ｅ（１．０）ＳＭ）、Ｃ12〜Ｃ18のアルキルポリエトキシレート（２．２５）サルフェート（Ｃ12〜Ｃ18Ｅ（２．２５）ＳＭ）、Ｃ12〜Ｃ18のアルキルポリエトキシレート（３．０）サルフェート（Ｃ12〜Ｃ18Ｅ（３．０）ＳＭ）、Ｃ12〜Ｃ18のアルキルポリエトキシレート（４．０）サルフェート（Ｃ12〜Ｃ18Ｅ（４．０）ＳＭ）であり、式中、Ｍは、便宜的に、ナトリウム及びカリウムから選択される。
【０１２７】
本明細書での使用に関して好適なアルキルスルホネートとしては、式ＲＳＯ3Ｍの、水溶性の塩又は酸が挙げられ、式中、Ｒは、Ｃ6〜Ｃ20の直鎖若しくは分枝状、飽和又は不飽和のアルキル基、好ましくはＣ8〜Ｃ18のアルキル基、より好ましくはＣ10〜Ｃ16のアルキル基であり、Ｍは、Ｈ、あるいはカチオン、例えばアルカリ金属カチオン（例えば、ナトリウム、カリウム、リチウム）、又はアンモニウム若しくは置換アンモニウム（例えば、メチル−、ジメチル−、及びトリメチルアンモニウムカチオン、並びにテトラメチル−アンモニウム及びジメチルピペリジニウムカチオンなどの第四級アンモニウムカチオン、並びにエチルアミン、ジエチルアミン、トリエチルアミンなどのアルキルアミンから誘導される第四級アンモニウムカチオン、並びにこれらの混合物など）である。特に好適な直鎖アルキルスルホネートとしては、Ｈｏｅｃｈｓｔより市販のＨｏｓｔａｐｕｒ（登録商標）ＳＡＳのような、Ｃ12〜Ｃ16のパラフィンスルホネートが挙げられる。
【０１２８】
本明細書での使用に関して好適なアルキルアリールスルホネートとしては、式ＲＳＯ3Ｍの、水溶性の塩又は酸が挙げられ、式中、Ｒは、Ｃ6〜Ｃ20の直鎖若しくは分枝状、飽和又は不飽和のアルキル基、好ましくはＣ8〜Ｃ18のアルキル基、より好ましくはＣ10〜Ｃ16のアルキル基によって置換された、アリール、好ましくはベンジルであり、Ｍは、Ｈ、あるいはカチオン、例えば、アルカリ金属カチオン（例えば、ナトリウム、カリウム、リチウム、カルシウム、マグネシウムなど）、又はアンモニウム若しくは置換アンモニウム（例えば、メチル−、ジメチル−、及びトリメチルアンモニウムカチオン、並びにテトラメチル−アンモニウム及びジメチルピペリジニウムカチオンなどの第四級アンモニウムカチオン、並びにエチルアミン、ジエチルアミン、トリエチルアミンなどのアルキルアミンから誘導される第四級アンモニウムカチオン、並びにこれらの混合物など）である。市販のアルキルアリールスルホネートの例は、Ｓｕ．Ｍａ．製のラウリルアリールスルホネートである。特に好ましいアルキルアリールスルホネートは、Ａｌｂｒｉｇｈｔ＆Ｗｉｌｓｏｎより入手可能な、商品名Ｎａｎｓａ（登録商標）で市販のアルキルベンゼンスルホネートである。
【０１２９】
本明細書での使用に関して好適なＣ6〜Ｃ20のアルキルアルコキシル化直鎖又は分枝状ジフェニルオキシドジスルホネート界面活性剤は、次式に従うものである。
【０１３０】
【化１】
0005997161.tif 000004
式中、Ｒは、Ｃ6〜Ｃ20の直鎖若しくは分枝状、飽和又は不飽和のアルキル基、好ましくはＣ12〜Ｃ18のアルキル基、より好ましくはＣ14〜Ｃ16のアルキル基であり、Ｘ＋は、Ｈ、又はカチオン、例えば、アルキル金属カチオン（例えば、ナトリウム、カリウム、リチウム、カルシウム、マグネシウムなど）である。本明細書で使用される特に好適なＣ6〜Ｃ20のアルキルアルコキシル化直鎖又は分枝状ジフェニルオキシドジスルホネート界面活性剤は、Ｃ12分枝状ジフェニルオキシドジスルホン酸、及びＣ16の直鎖ジフェニルオキシドジスルホン酸ナトリウム塩であり、それぞれ、ＤＯＷにより、商品名Ｄｏｗｆａｘ  ２Ａ１（登録商標）及びＤｏｗｆａｘ  ８３９０（登録商標）で市販されている。
【０１３１】
本明細書で有用な他のアニオン性界面活性剤としては、石鹸の塩（例えば、ナトリウム塩、カリウム塩、アンモニウム塩、並びにモノ−、ジ−、及びトリエタノールアミン塩などの置換アンモニウム塩が挙げられる）、Ｃ8〜Ｃ24のオレフィンスルホネート、例えば英国特許明細書第１，０８２，１７９号で説明されるような、クエン酸アルカリ土類金属塩の熱分解生成物のスルホン化によって調製されるスルホン化ポリカルボン酸、Ｃ8〜Ｃ24のアルキルポリグリコールエーテルサルフェート（最大１０モルのエチレンオキシドを含有する）；Ｃ14〜Ｃ16のメチルエステルスルホネートなどのアルキルエステルスルホネート；アシルグリセロールスルホネート、脂肪オレイルグリセロールサルフェート、アルキルフェノールエチレンオキシドエーテルサルフェート、アルキルホスフェート、アシルイセチオネートなどのイセチオネート、Ｎ−アシルタウレート、アルキルサクシナメート及びスルホサクシネート、スルホサクシネートのモノエステル（特に、飽和及び不飽和のＣ12〜Ｃ18のモノエステル）、スルホサクシネートのジエステル（特に、飽和及び不飽和のＣ6〜Ｃ14のジエステル）、アシルサルコシネート、アルキル多糖のサルフェート、例えば、アルキルポリグルコシドのサルフェート（以下で説明される非イオン性非硫酸化化合物）、式ＲＯ（ＣＨ2ＣＨ2Ｏ）kＣＨ2ＣＯＯ-Ｍ+（式中、Ｒは、Ｃ8〜Ｃ22のアルキルであり、ｋは、０〜１０の整数であり、Ｍは、可溶性塩形成カチオンである）のものなどのアルキルポリエトキシカルボキシレートが挙げられる。ロジン、水素添加ロジン、並びにトール油中に存在するか若しくはトール油から誘導される樹脂酸及び水素添加樹脂酸などの、樹脂酸及び水素添加樹脂酸もまた好適である。更なる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ、Ｐｅｒｒｙ、及びＢｅｒｃｈによる、Ｖｏｌ．Ｉ並びにＶｏｌ．ＩＩ）に記載されている。様々なそのような界面活性剤はまた、米国特許第３，９２９，６７８号（Ｌａｕｇｈｌｉｎら、１９７５年１２月３０日発行）の第２３段５８行目〜第２９段２３行目にも全般的に開示されている。
【０１３２】
双極性界面活性剤は、本発明の関連の範囲内での、別の部類の好ましい界面活性剤を表す。組成物中に存在する場合、双極性界面活性剤は、０．０１％〜２０％の、好ましくは０．２％〜１５％の、より好ましくは０．５％〜１２％の濃度で含めることができる。
【０１３３】
双極性界面活性剤は、幅広いｐＨ範囲にわたって、同じ分子上にカチオン性基及びアニオン性基の双方を含有する。典型的なカチオン性基は、第四級アンモニウム基であるが、スルホニウム基及びホスホニウム基のような、他の陽性荷電基を使用することもできる。典型的なアニオン基は、カルボキシレート及びスルホネートであり、好ましくはスルホネートであるが、硫酸、リン酸などのような、他の基を使用することができる。これらの洗剤の、一部の一般的な例は、米国特許第２，０８２，２７５号、同第２，７０２，２７９号、及び同第２，２５５，０８２号の特許文献で説明されている。
【０１３４】
好適な双極性界面活性剤としては、アルキルベタイン、アルキルアミドベタイン、アミドアゾリニウムベタイン、スルホベタイン（ＩＮＣＩスルタイン）、並びにホスホベタインなどのベタインが挙げられ、好ましくは次の式（Ｉ）に合致する。
Ｒ1−［ＣＯ−Ｘ（ＣＨ2）n］x−Ｎ+（Ｒ2）（Ｒ3）−（ＣＨ2）m−［ＣＨ（ＯＨ）−ＣＨ2］y−Ｙ−（Ｉ）
式中、
Ｒ1は、飽和又は不飽和のＣ6〜22のアルキル残基、好ましくはＣ8〜18のアルキル残基であり、特に飽和Ｃ10〜16のアルキル残基、例えば、飽和Ｃ12〜14のアルキル残基であり、
Ｘは、ＮＨ、Ｃ1〜4のアルキル残基Ｒ4を有するＮＲ4、Ｏ、又はＳであり、
ｎは、１〜１０の数、好ましくは２〜５、特に３であり、
ｘは、０又は１、好ましくは１であり、
Ｒ2、Ｒ3は、独立して、ヒドロキシエチル、好ましくはメチルなどの、ヒドロキシ置換される可能性のあるＣ1〜4のアルキル残基であり、
ｍは、１〜４の数、特に１、２、又は３であり、
ｙは、０又は１であり、
Ｙは、ＣＯＯ、ＳＯ３、ＯＰＯ（ＯＲ5）Ｏ、又はＰ（Ｏ）（ＯＲ5）Ｏであり、Ｒ5は、水素原子Ｈ、又はＣ１〜４のアルキル残基である。
【０１３５】
好ましいベタインは、式（Ｉａ）のアルキルベタイン、式（Ｉｂ）のアルキルアミドベタイン、式（Ｉｃ）のスルホベタイン、及び式（Ｉｄ）のアミドスルホベタインである。
Ｒ1−Ｎ+（ＣＨ3）2−ＣＨ2ＣＯＯ-                                    （Ｉａ）
Ｒ1−ＣＯ−ＮＨ（ＣＨ2）3−Ｎ+（ＣＨ3）2−ＣＨ2ＣＯＯ-            （Ｉｂ）
Ｒ1−Ｎ+（ＣＨ3）2−ＣＨ2ＣＨ（ＯＨ）ＣＨ2ＳＯ3−                  （Ｉｃ）
Ｒ1−ＣＯ−ＮＨ−（ＣＨ2）3−Ｎ+（ＣＨ3）2−ＣＨ2ＣＨ（ＯＨ）ＣＨ2ＳＯ3−  （Ｉｄ）
式中、Ｒ1は、式Ｉの場合と同じ意味を有する。特に好ましいベタインは、カルボベタイン［式中、Ｙ-＝ＣＯＯ-］であり、特に式（Ｉａ）及び式（Ｉｂ）のカルボベタイン、より好ましくは、式（Ｉｂ）のアルキルアミドベタインである。
【０１３６】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘンアミドプロピルベタイン、ベヘニルベタイン、キャノールアミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチルステアリルグリシネート、ジヒドロキシエチルタローグリシネート、ジメチコンプロピルｐｇベタイン、エルカミドプロピルヒドロキシスルタイン、水素添加タローベタイン、イソステアルアミドプロピルベタイン、ラウラミドプロピルベタイン、ラウリルベタイン、ラウリルヒドロキシスルタイン、ラウリルスルタイン、乳脂脂肪酸アミドプロピルベタイン、テン油アミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、パームアミドプロピルベタイン、パルミチン酸アミドプロピルベタイン、パルミトイルカルニチン、パ−ムカーネルアミドプロピルベタイン、ポリテトラフルオロエチレンアセトキシプロピルベタイン、リシノール酸アミドプロピルベタイン、セサミドプロピルベタイン、ソイアミドプロピルベタイン、ステアリン酸アミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚アミドプロピルベタインである。好ましいベタインは、例えば、コカミドプロピルベタインである。
【０１３７】
双極性界面活性剤の具体的な例は、ＭｃＩｎｔｙｒｅ  Ｃｏｍｐａｎｙ（２４６０１  Ｇｏｖｅｒｎｏｒｓ  Ｈｉｇｈｗａｙ，Ｕｎｉｖｅｒｓｉｔｙ  Ｐａｒｋ，Ｉｌｌｉｎｏｉｓ  ６０４６６，ＵＳＡ）より、商品名Ｍａｃｋａｍ  ＬＨＳ（登録商標）で入手可能な、３−（Ｎ−ドデシル−Ｎ，Ｎ−ジメチル）−２−ヒドロキシプロパン−１−スルホネート（ラウリルヒドロキシルスルタイン）である。別の具体的な双極性界面活性剤は、ＭｃＩｎｔｙｒｅより、商品名Ｍａｃｋａｍ  ５０−ＳＢ（登録商標）で入手可能な、Ｃ12〜14のアシルアミドプロピレン（ヒドロキシプロピレン）スルホベタインである。他の極めて有用な双極性界面活性剤としては、ヒドロカルビル、例えば、脂肪族アルキレンベタインが挙げられる。極めて好ましい双極性界面活性剤は、Ａｌｂｒｉｇｈｔ  ＆  Ｗｉｌｓｏｎによる製造の、Ｅｍｐｉｇｅｎ  ＢＢ（登録商標）、ココジメチルベタインである。同様に好ましい別の双極性界面活性剤は、ＭｃＩｎｔｙｒｅによる製造の、Ｍａｃｋａｍ  ３５ＨＰ（登録商標）、ココアミドプロピルベタインである。
【０１３８】
別の部類の好ましい界面活性剤は、両性界面活性剤からなる群を含む。１つの好適な両性界面活性剤は、Ｃ8〜Ｃ16のアミドアルキレングリシネート界面活性剤（「アンフォグリシネート」）である。別の好適な両性界面活性剤は、Ｃ8〜Ｃ16のアミドアルキレンプロピオネート界面活性剤（「アンフォプロピオネート」）である。他の好適な両性界面活性剤は、ドデシルβ−アラニン、米国特許第２，６５８，０７２号の教示によりドデシルアミンとイセチオン酸ナトリウムとを反応させることによって調製されるものなどの、Ｎ−アルキルタウリン、米国特許第２，４３８，０９１号の教示により生成されるものなどの、Ｎ−高級アルキルアスパラギン酸、及び商品名「Ｍｉｒａｎｏｌ（登録商標）」で販売され、米国特許第２，５２８，３７８号で説明されている製品などの、界面活性剤によって表される。
【０１３９】
カチオン性界面活性剤は、組成物中に存在する場合、有効量で、より好ましくは液体洗剤組成物の０．１重量％〜２０重量％で存在する。好適なカチオン性界面活性剤は、第四級アンモニウム界面活性剤である。好適な第四級アンモニウム界面活性剤は、モノＣ6〜Ｃ16の、好ましくはＣ6〜Ｃ10のＮ−アルキル又はアルケニルアンモニウム界面活性剤からなる群から選択され、残りのＮ位はメチル基、ヒドロキシエチル基、又はヒドロキシプロピル基によって置換される。別の好ましいカチオン性界面活性剤は、第四級クロリンエステルなどの、第四級アンモニウムアルコールのＣ6〜Ｃ18のアルキル又はアルケニルエステルである。
【０１４０】
キレート剤
本明細書で使用される１つの部類の任意化合物としては、キレート剤又はその混合物が挙げられる。キレート剤は、本明細書での組成物中に、組成物全体の０．０重量％〜１０．０重量％の、好ましくは０．０１重量％〜約５．０重量％の範囲の量で組み込むことができる。
【０１４１】
本明細書での使用に関して好適なホスホネートキレート剤としては、アルカリ金属エタン１−ヒドロキシジホスホネート（ＨＥＤＰ）、アルキレンポリ（アルキレンホスホネート）、並びにアミノアミノトリ（メチレンホスホン酸）（ＡＴＭＰ）、ニトリロトリメチレンホスホネート（ＮＴＰ）、エチレンジアミンテトラメチレンホスホネート、及びジエチレントリアミンペンタメチレンホスホネート（ＤＴＰＭＰ）を含めたアミノホスホネート化合物を挙げることができる。ホスホネート化合物は、その酸形態で、又はその酸性官能基の一部若しくは全てで異なるカチオンの塩として存在することができる。本明細書で使用される好ましいホスホネートキレート剤は、ジエチレントリアミンペンタメチレンホスホネート（ＤＴＰＭＰ）及びエタン１−ヒドロキシジホスホネート（ＨＥＤＰ）である。そのようなホスホネートキレート剤は、Ｍｏｎｓａｎｔｏより、商品名ＤＥＱＵＥＳＴ（登録商標）で市販されている。
【０１４２】
多官能置換された芳香族キレート剤もまた、本明細書での組成物中で有用とすることができる。米国特許第３，８１２，０４４号（Ｃｏｎｎｏｒら、１９７４年５月２１日発行）を参照されたい。このタイプの酸形態での好ましい化合物は、１，２−ジヒドロキシ−３，５−ジスルホベンゼンなどのジヒドロキシジスルホベンゼンである。
【０１４３】
本明細書での使用に関して好ましい生分解性キレート剤は、エチレンジアミンＮ，Ｎ’−二コハク酸、又はそのアルカリ金属塩、若しくはアルカリ土類金属塩、アンモニウム塩、若しくは置換アンモニウム塩、あるいはこれらの混合物である。エチレンジアミンＮ，Ｎ’−二コハク酸、特に（Ｓ，Ｓ）異性体については、米国特許第４，７０４，２３３号（Ｈａｒｔｍａｎ及びＰｅｒｋｉｎｓ、１９８７年１１月３日）で詳細に説明されている。エチレンジアミンＮ，Ｎ’−二コハク酸は、例えば、Ｐａｌｍｅｒ  Ｒｅｓｅａｒｃｈ  Ｌａｂｏｒａｔｏｒｉｅｓより、商品名ｓｓＥＤＤＳ（登録商標）で市販されている。
【０１４４】
本明細書での使用に関して好適なアミノカルボキシレートとしては、エチレンジアミン四酢酸、ジエチレントリアミン五酢酸、ジエチレントリアミン五酢酸（ＤＴＰＡ）、Ｎ−ヒドロキシエチルエチレンジアミン三酢酸、ニトリロ三酢酸、エチレンジアミンテトラプロピオネート、トリエチレンテトラアミン六酢酸、エタノール−ジグリシン、プロピレンジアミン四酢酸（ＰＤＴＡ）、及びメチルグリシン二酢酸（ＭＧＤＡ）の、それらの酸形態、あるいはそれらのアルカリ金属塩、アンモニウム塩、及び置換アンモニウム塩形態の双方が挙げられる。本明細書で使用される特に好適なアミノカルボキシレートは、ジエチレントリアミン五酢酸、例えばＢＡＳＦより商品名Ｔｒｉｌｏｎ  ＦＳ（登録商標）で市販されているプロピレンジアミン四酢酸（ＰＤＴＡ）、及びメチルグリシン二酢酸（ＭＧＤＡ）である。
【０１４５】
本明細書で使用される更なるカルボキシレートキレート剤としては、サリチル酸、アスパラギン酸、グルタミン酸、グリシン、マロン酸、又はこれらの混合物が挙げられる。
【０１４６】
ラジカルスカベンジャー
本発明の組成物は、ラジカルスカベンジャー又はその混合物を更に含み得る。
【０１４７】
本明細書での使用に関して好適なラジカルスカベンジャーとしては、周知の置換モノ及びジヒドロキシベンゼン、並びにそれらの類似体、アルキル及びアリールカルボキシレート、並びにそれらの混合物が挙げられる。本明細書での使用に関して好ましい、そのようなラジカルスカベンジャーとしては、ジ−ｔｅｒｔ−ブチルヒドロキシトルエン（ＢＨＴ）、ヒドロキノン、ジ−ｔｅｒｔ−ブチルヒドロキノン、モノ−ｔｅｒｔ−ブチルヒドロキノン、ｔｅｒｔ−ブチル−ヒドロキシアニソール、安息香酸、トルイル酸、カテコール、ｔ−ブチルカテコール、ベンジルアミン、１，１，３−トリス（２−メチル−４−ヒドロキシ−５−ｔ−ブチルフェニル）ブタン、没食子酸ｎ−プロピル、又はこれらの混合物が挙げられ、ジ−ｔｅｒｔ−ブチルヒドロキシトルエンが極めて好ましい。没食子酸Ｎ−プロピルのようなラジカルスカベンジャーは、Ｎｉｐａ  Ｌａｂｏｒａｔｏｒｉｅｓより、商標名Ｎｉｐａｎｏｘ  Ｓ１（登録商標）で市販されている。
【０１４８】
ラジカルスカベンジャーは、使用される場合、本明細書では、典型的には、組成物全体の最大１０重量％の量で、好ましくは０．００１重量％〜０．５重量％の量で存在することができる。ラジカルスカベンジャーの存在は、本発明の組成物の化学的安定性に貢献することができる。
【０１４９】
香料
本明細書での使用に関して好適な香料化合物及び香料組成物は、例えば、欧州特許出願第０  ９５７  １５６号の、１３ページの表題「Ｐｅｒｆｕｍｅ」の項で説明されるものである。本明細書での組成物は、香料成分又はその混合物を、組成物全体の最大５．０重量％の量で、好ましくは０．１重量％〜１．５重量％の量で含み得る。
【０１５０】
染料
本発明による液体組成物は着色することができる。したがって、それらの組成物は、染料、又はその混合物を含み得る。
【０１５１】
防腐剤
本発明による液体組成物は、天然の研磨剤から発生する可能性がある生体増殖を防止するための、防腐剤を含み得る。
【０１５２】
組成物の送達形態
本明細書での組成物は、液体組成物を注ぐためのプラスチックボトル、スクイーズボトル、又は液体組成物を噴霧するためのトリガー噴霧器を備えるボトルなどの、当該技術分野では既知の様々な好適なパッケージング内に、パッケージ化することができる。あるいは、本発明によるペースト様の組成物は、チューブ内にパッケージ化することができる。
【０１５３】
本明細書での代替的実施形態では、本明細書での液体組成物を基材上に含浸させるが、好ましくは、この基材は、可撓性の薄いシート、又はスポンジなどの材料のブロックの形態である。
【０１５４】
好適な基材は、織布シート又は不織布シート、セルロース材料をベースとするシート、スポンジ、又は連続気泡構造を有するフォーム、例えば、ポリウレタンフォーム、セルロースフォーム、メラミンフォームなどである。
【０１５５】
表面を洗浄するプロセス
本発明は、本発明による液体組成物を使用して、表面を洗浄するプロセスを包含する。本明細書での好適な表面は、本明細書の上記の見出し「液体洗浄組成物」で説明されている。
【０１５６】
好ましい実施形態では、その表面は、本発明による組成物と接触するが、好ましくは、この組成物は、その表面上に塗布される。
【０１５７】
別の好ましい実施形態では、本明細書でのプロセスは、本発明による液体組成物を、その液体組成物を収容する容器から分配する（例えば、噴霧する、注ぐ、搾り出すことによって）工程と、その後に、その表面を洗浄する工程とを含む。
【０１５８】
本明細書での組成物は、その未希釈の形態、又は希釈された形態とすることができる。
【０１５９】
「未希釈の形態」とは、この液体組成物が、いかなる希釈も受けることなく、処理される表面上に直接塗布されること、すなわち、本明細書での液体組成物を、本明細書で説明されるような表面上に塗布することである点を理解されたい。
【０１６０】
「希釈された形態」とは、本明細書では、この液体組成物が、典型的には水で、ユーザーによって希釈されることを意味する。液体組成物は、使用前に、その重量の最大１０倍の水により、典型的な希釈濃度に希釈される。通常推奨される希釈濃度は、水による、組成物の１０％希釈である。
【０１６１】
本明細書での組成物は、希釈又は未希釈の、本明細書での組成物中に浸漬させた、モップ、ペーパータオル、ブラシ、若しくは布などの、適切な用具を使用して塗布することができる。更には、この表面上に塗布した後、適切な用具を使用して、この組成物を、その表面の上で揺動することができる。実際に、モップ、ペーパータオル、ブラシ、又は布を使用して、その表面を拭くことができる。
【０１６２】
本明細書でのプロセスは、好ましくは、この組成物の塗布後に、すすぎ工程を追加的に含み得る。「すすぎ」とは、本明細書では、本発明によるプロセスで洗浄される表面を、その表面上に本明細書での液体組成物を塗布する工程の直後に、相当量の適切な溶媒、典型的には水と接触させることを意味する。「相当量」とは、本明細書では、１ｍ2の表面当たり、０．０１リットル〜１リットルの水、より好ましくは、１ｍ2の表面当たり、０．１リットル〜１リットルの水を意味する。
【０１６３】
洗浄有効性
洗浄有効性の試験方法：
セラミックタイル（典型的には、２４ｃｍ×４ｃｍの、光沢白色セラミック）を、純粋な植物性グリース、グリース状石鹸かす、又は未希釈の台所垢などの、様々なホームケアの汚れで覆う。次いで、この汚れたタイルを、水で予め湿潤させたＳｐｏｎｔｅｘ（登録商標）セルローススポンジ上に直接注がれた、４〜５ｍＬの本発明の組成物を使用して洗浄する。次いで、このスポンジを、粒子組成物で被覆された面がタイルに向き合う状態で、湿式摩耗擦洗試験装置（Ｓｈｅｅｎ  Ｉｎｓｔｒｕｍｅｎｔｓ  Ｌｔｄ．（Ｋｉｎｇｓｔｏｎ，Ｅｎｇｌａｎｄ）製などの）に取り付ける。この磨耗試験機は、圧力（例えば、６００ｇ）を供給して、試験表面の上で、スポンジを、設定行程長（例えば、３０ｃｍ）で、設定速度（例えば、毎分３７行程）で移動させるように構成することができる、組成物がグリース状石鹸かすを除去する能力は、目視評価によって判定される、その表面を完全に洗浄するために必要な行程数によって、測定される。この行程数が少ないほど、その組成物の、グリース状石鹸かす洗浄能力は高い。
【０１６４】
以下の洗浄データは、洗浄剤中３〜１０％の着色研磨粒子で達成される。実施例の洗浄データを生成するために使用された研磨洗浄粒子は、クルミの殻、オリーブの核、又は木材粒子を着色することによって調製した。
【０１６５】
【表３】
0005997161.tif 000005
*２４ｃｍ×７ｃｍの白色光沢エナメルタイル上に、０．６ｇの純粋な植物性油の混合物（均等な割合の、ピーナッツ油、ひまわり油、及びコーン油）を、塗装用ローラーを使用して塗り広げ、そのタイルの上面に均一な層を得る。タイルを、２時間１０分の間、１４５℃のオーブン内で焼く。
【０１６６】
【表４】
0005997161.tif 000006
【０１６７】
【表５】
0005997161.tif 000007
【０１６８】
【表６】
0005997161.tif 000008
【０１６９】
【表７】
0005997161.tif 000009
**０．３ｇの、主にステアリン酸カルシウム及び市販の人工的な身体の汚れをベースとする、典型的なグリース状石鹸かす（噴霧器を介してタイルに適用する）。次いで、汚れたタイルを、１４０℃の温度のオーブン内で、１０〜４５分間、好ましくは４０分間乾燥させ、次いで、室温（約２０℃）で、制御された環境湿度（６０〜８５％  ＲＨ、好ましくは７５％  ＲＨ）で、２〜１２時間エージングする
【０１７０】
［実施例］
以下のこれらの組成物は、着色された堅果及び核の粒子を含んで、作製された。本明細書での実施例１〜２２は、本発明を例示するように適合されるが、必ずしも、本発明の範囲を限定するか、又は別の方法で規定するために使用されるものではない。
【０１７１】
【表８】
0005997161.tif 000010
【０１７２】
【表９】
0005997161.tif 000011
【０１７３】
【表１０】
0005997161.tif 000012
*微量成分：染料、香料、防腐剤、ヒドロトロープ、加工助剤、安定剤
（１）グアーヒドロキシプロピルトリモニウムクロリド
（２）Ａｃｕｓｏｌ（商標）ＯＰ３０１（Ｒｏｈｍ  ａｎｄ  Ｈａａｓより）
【０１７４】
【表１１】
0005997161.tif 000013
【０１７５】
【表１２】
0005997161.tif 000014
【０１７６】
【表１３】
0005997161.tif 000015
【０１７７】
【表１４】
0005997161.tif 000016
【０１７８】
上記の拭き取り布用ローション組成物を、５６グラムの坪量を有し、７０％のポリエステル及び３０％のレーヨンを含む、約幅１６．５ｃｍ（６．５インチ）3長さ１９．１ｃｍ（７．５インチ）の、約０．８０ｍｍのキャリパーを有するパターン付き水流交絡不織布基材である、非溶水性基材上に添着させる。任意選択的に、この基材は、従来の基材被覆技術を使用して、ジメチコン（Ｄｏｗ  Ｃｏｒｎｉｎｇ  ２００  Ｆｌｕｉｄ  ７．５Ｅ−６ｍ2／ｓ（５ｃｓｔ））で予備被覆することができる。ローションと拭き取り布との重量比は、約２：１であり、従来の基材被覆技術を使用する。
【０１７９】
本明細書で開示される寸法及び値は、記載される正確な数値に厳密に限定されるものとして理解するべきではない。むしろ、特に指定のない限り、そのような各寸法は、記載される値、及びその値周辺の機能的に等価の範囲の双方を意味するものとする。例えば、「４０ｍｍ」として開示される寸法は、「約４０ｍｍ」を意味するものとする。